(57)【特許請求の範囲】
【請求項１】
健康度ポジショニングマップ上に被験者の健康度をマッピングし、前記被験者の健康度を推定するための健康関数の作成方法であって、前記作成方法は、プロセッサ部を備えるコンピュータシステムにおいて実行され、前記作成方法は、
（１）前記プロセッサ部が、健康度ポジショニングマップを用意することであって、前記健康度ポジショニングマップは、
ａ．複数の被験者の各々について、第１パラメータセットに対する第１データセットを取得することと、
ｂ．前記第１データセットを処理して、第１データを得ることと、
ｃ．前記複数の被験者の各々について、前記処理された第１データをマッピングすることと、
ｄ．前記マッピングされた前記第１データをクラスタリングすることにより、複数の領域を特定することと、
ｅ．前記複数の領域のうちの少なくとも一部を特徴付けることと
を含む方法によって作成されたものであることと、
（２）前記プロセッサ部が、前記複数の被験者のうちの少なくとも一部について、第２パラメータセットに対する第２データセットを取得することであって、前記第２パラメータセットは、前記第１パラメータセットの一部であることと、
（３）前記プロセッサ部が、前記第２データセットと、前記少なくとも一部の被験者の前記健康度ポジショニングマップ上の位置とを相関させる健康関数を導出することと
を含む、作成方法。
【請求項２】
前記第１パラメータセットは、自律神経パラメータ、生体酸化パラメータ、生体修復エネルギー低下パラメータ、および炎症パラメータを含む、請求項１に記載の作成方法。
【請求項３】
前記生体酸化パラメータは、ＢＡＰ、ＯＳＩ、コエンザイムＱ１０総量、および、コエンザイムＱ１０還元型比率を含む、請求項２に記載の作成方法。
【請求項４】
前記生体修復エネルギー低下パラメータは、コエンザイムＱ１０総量およびコエンザイムＱ１０還元型比率を含む、請求項２または３に記載の作成方法。
【請求項５】
前記炎症パラメータは、ＣＲＰ（Ｃ−Ｒｅａｃｔｉｖｅ  Ｐｒｏｔｅｉｎ）、ＷＢＣ（白血球数）、アルブミン、赤血球数、インターロイキン−１β、またはインターロイキン−６を含む、請求項２〜４のいずれか一項に記載の作成方法。
【請求項６】
前記自律神経パラメータは、平均ＨＲ、ｌｎ（ＴＰ）、ｌｎ（ＬＦ）、ｌｎ（ＨＦ）、およびｌｎ（ＬＦ／ＨＦ）を含む、請求項２〜５のいずれか一項に記載の作成方法。
【請求項７】
前記第１パラメータセットは、
ＣＲＰ（Ｃ−Ｒｅａｃｔｉｖｅ  Ｐｒｏｔｅｉｎ）、ＷＢＣ（白血球数）、アルブミン、赤血球数、インターロイキン−１β、またはインターロイキン−６と、
コエンザイムＱ１０総量、またはコエンザイムＱ１０還元型比率と、
平均ＨＲ、ｌｎ（ＴＰ）、ｌｎ（ＬＦ）、ｌｎ（ＨＦ）、またはｌｎ（ＬＦ／ＨＦ）と
を含む、請求項１に記載の作成方法。
【請求項８】
前記第２パラメータセットは侵襲性検査の結果を含まない、請求項２〜７のいずれか一項に記載の作成方法。
【請求項９】
前記第２パラメータセットは、
（１）年齢
（２）ＢＭＩ
（３）脂肪率
（４）ＳＯＳ
（５）収縮期血圧
（６）疲労についての主観的評価
（７）うつについての主観的評価
（８）副交感神経の活動
（９）自律神経系全体の活動
（１０）認知機能
を含む、請求項８に記載の作成方法。
【請求項１０】
前記第２パラメータセットは、年齢、疲労についての主観的評価、疲労持続期間、交感神経と副交感神経のバランス、認知機能、脂肪率、血中中性脂肪、血中酸化ストレス指標ＯＳＩ、および血中ＣＲＰを含む、請求項１〜７のいずれか一項に記載の方法。
【請求項１１】
ユーザの健康度を推定する方法であって、前記方法は、プロセッサ部を備えるコンピュータシステムにおいて実行され、前記方法は、
前記プロセッサ部が、請求項１〜８のいずれか一項に記載の作成方法によって作成された健康関数を用意することと、
前記プロセッサ部が、前記ユーザの前記第２パラメータセットに対する第１ユーザデータセットを取得することと、
前記プロセッサ部が、前記第１ユーザデータセットを前記健康関数に入力することにより第１出力を得ることと、
前記プロセッサ部が、前記第１出力を前記健康度ポジショニングマップ上にマッピングすることと
を含む方法。
【請求項１２】
前記プロセッサ部が、所定期間の経過後に、前記ユーザの前記第２パラメータセットに対する第２ユーザデータセットを取得することと、
前記プロセッサ部が、前記第２ユーザデータセットを前記健康関数に入力することにより第２出力を得ることと、
前記プロセッサ部が、前記第２出力を前記健康度ポジショニングマップ上にマッピングすることと
を含む、請求項１１に記載の方法。
【請求項１３】
健康状態を向上させるためのアイテムの評価方法であって、前記評価方法は、プロセッサ部を備えるコンピュータシステムにおいて実行され、前記評価方法は、
前記プロセッサ部が、請求項１２に記載の方法における前記第１出力と前記第２出力とを比較すること
を含み、前記ユーザは、前記所定期間の間に前記アイテムを使用していることを特徴とする方法。
【発明の詳細な説明】
【技術分野】
【０００１】
本発明は、健康度ポジショニングマップおよび健康関数を作成する方法などに関する。
【背景技術】
【０００２】
健康から疾病発症に至る前段階を未病という。超少子高齢化社会における医療費高騰で国の経済破綻が危惧される状況で、疾病発症を未然に防ぐための健康から未病状態を可視化・数値化する技術開発が望まれている。
【０００３】
例えば、特許文献１および特許文献２には、複数の被験者についての複数の検査項目のデータを取得し、当該検査項目のうち複数の検査データを変数とする関数を作成することにより、被験者の健康状態を評価する技術が開示されている。
【先行技術文献】
【特許文献】
【０００４】
【特許文献１】特開２０１０−２３０４２８号公報
【特許文献２】特許第６０６９５９８号公報
【特許文献３】特許第５４５５０７１号公報
【特許文献４】特許第５４９１７４９号公報
【発明の概要】
【発明が解決しようとする課題】
【０００５】
しかしながら、上述のような従来技術では、糖尿病や動脈硬化症などの生活習慣病、がん、認知症、サルコペニア、肝臓疾患、腎臓疾患などの特定の軸に沿って、健康、未病、疾患の道筋に則った計測を行い、リスク評価をしている。そのため、人の健康総体の健康の度合いを評価することはできないという問題がある。
【０００６】
本発明の一態様は、人の健康総体の健康度を表すために、様々な健康リスクを評価するための手段（例えば、健康関数を作成することができる健康関数作成方法および健康関数作成装置など）を提供することを目的とする。
【課題を解決するための手段】
【０００７】
上記の課題を解決するために、本発明の一態様に係る健康関数作成方法は、被験者群の健康関数を作成する健康関数作成方法であって、前記被験者群についての、未来健康診断項目データを含む健康に関する第１データを取得する第１データ取得ステップと、前記第１データを用いて、健康関数を作成する健康関数作成ステップと、を含む。
【０００８】
上記の課題を解決するために、本発明の一態様に係る健康関数作成装置は、被験者群の健康関数を作成する健康関数作成装置であって、前記被験者群についての、未来健康診断項目データを含む健康に関する第１データを取得するデータ取得部と、前記第１データを用いて、健康関数を作成する健康関数作成部と、を備える。
本発明は、例えば、以下の項目を提供する。
（項目１）
健康度ポジショニングマップの作成方法であって、
複数の被験者の各々について、第１パラメータセットに対する第１データセットを取得することと、
前記第１データセットを処理して、第１データを得ることと、
前記複数の被験者の各々について、前記処理された第１データをマッピングすることと、
前記マッピングされた前記第１データをクラスタリングすることにより、複数の領域を特定することと、
前記複数の領域のうちの少なくとも一部を特徴付けることと
を含む作成方法。
（項目２）
前記第１パラメータセットは、自律神経パラメータ、生体酸化パラメータ、生体修復エネルギー低下パラメータ、および炎症パラメータを含む、項目１に記載の作成方法。
（項目３）
前記第１パラメータセットは基礎的パラメータ、認知機能パラメータおよび主観的パラメータをさらに含む、項目２に記載の作成方法。
（項目４）
前記１データセットの前記処理は、前記第１データセットの次元削減処理を含む、項目１〜３のいずれか一項に記載の作成方法。
（項目５）
前記１データセットの前記処理は、前記第１データセットの標準化、および前記標準化されたデータセットの次元削減処理を含む、項目１〜４のいずれか一項に記載の作成方法。
（項目６）
前記第１データセットの標準化は、
前記第１データセットを、男性被験者のデータセットと女性被験者のデータセットとに分類することと、
前記男性被験者のデータセットを標準化すること、および／または前記女性被験者のデータセットを標準化することと
を含む、項目５に記載の作成方法。
（項目７）
前記次元削減処理を多次元尺度構成法によって行う、項目４〜６のいずれか一項に記載の作成方法。
（項目８）
前記領域を選択することと、
前記領域にマッピングされた前記第１データをサブ第１データとすることと、
前記サブ第１データをクラスタリングすることにより、複数の領域を特定することと、
前記複数の領域のうちの少なくとも一部を特徴付けることと
をさらに含む、項目１〜７のいずれか一項に記載の作成方法。
（項目９）
前記健康度ポジショニングマップは、二次元または三次元のマップである、項目１〜８のいずれか一項に記載の作成方法。
（項目１０）
健康度ポジショニングマップ上に被験者の健康度をマッピングするための健康関数の作成方法であって、
項目１〜９のいずれか一項に記載の方法によって作成された健康度ポジショニングマップを用意することと、
前記複数の被験者のうちの少なくとも一部について、第２パラメータセットに対する第２データセットを取得することであって、前記第２パラメータセットは、前記第１パラメータセットの一部であることと、
前記第２データセットと、前記少なくとも一部の被験者の前記健康度ポジショニングマップ上の位置とを相関させる健康関数を導出することと
を含む、作成方法。
（項目１１）
前記導出を機械学習によって行う、項目１０に記載の作成方法。
（項目１２）
前記第２パラメータセットは侵襲性検査の結果を含まない、項目１０または１１に記載の作成方法。
（項目１３）
前記第２パラメータセットは、
（１）年齢
（２）ＢＭＩ
（３）脂肪率
（４）ＳＯＳ
（５）収縮期血圧
（６）疲労についての主観的評価
（７）うつについての主観的評価
（８）副交感神経の活動
（９）自律神経系全体の活動
（１０）認知機能
を含む、項目１２に記載の作成方法。
（項目１４）
前記第２パラメータセットは、年齢、疲労についての主観的評価、疲労持続期間、交感神経と副交感神経のバランス、認知機能、脂肪率、血中中性脂肪、血中酸化ストレス指標ＯＳＩ、および血中ＣＲＰを含む、項目１０または１１に記載の方法。
（項目１５）
前記健康関数は、前記第２データセットを独立変数とし、前記少なくとも一部の被験者の前記健康度ポジショニングマップ上の位置を従属変数とする線形回帰モデルまたは非線形回帰モデルである、項目１０〜１４のうちのいずれか一項に記載の方法。
（項目１６）
ユーザの健康度を推定する方法であって、
項目１０〜１５のいずれか一項に記載の作成方法によって作成された健康関数を用意することと、
前記ユーザの前記第２パラメータセットに対する第１ユーザデータセットを取得することと、
前記第１ユーザデータセットを前記健康関数に入力することにより第１出力を得ることと、
前記第１出力を前記健康度ポジショニングマップ上にマッピングすることと
を含む方法。
（項目１７）
所定期間経過後に、前記ユーザの前記第２パラメータセットに対する第２ユーザデータセットを取得することと、
前記第２ユーザデータセットを前記健康関数に入力することにより第２出力を得ることと、
前記第２出力を前記健康度ポジショニングマップ上にマッピングすることと
を含む、項目１６に記載の方法。
（項目１８）
健康状態を向上させるためのアイテムの評価方法であって、
項目１７に記載の方法における前記第１出力と前記第２出力とを比較すること
を含み、前記ユーザは、前記所定期間の間に前記アイテムを使用していることを特徴とする方法。
（項目１９）
健康度ポジショニングマップ上に被験者の健康度をマッピングするための健康関数の作成方法であって、
第１パラメータセットを用いて作成された健康度ポジショニングマップを用意することと、
第２パラメータセットに対する第２データセットを取得することであって、前記第２パラメータセットは、前記第１パラメータセットの一部であることと、
前記第２データセットと、被験者の前記健康度ポジショニングマップ上の位置とを相関させる健康関数を導出することと
を含む、作成方法。
（項目２０）
前記第１パラメータセットは、自律神経パラメータ、生体酸化パラメータ、生体修復エネルギー低下パラメータ、および炎症パラメータを含む、項目１９
に記載の作成方法。
（項目２１）
前記導出を機械学習によって行う、項目１９または２０に記載の作成方法。
（項目２２）
前記第２パラメータセットは侵襲性検査の結果を含まない、項目１９〜２１のいずれか一項に記載の作成方法。
（項目２３）
前記第２パラメータセットは、
（１）年齢
（２）ＢＭＩ
（３）脂肪率
（４）ＳＯＳ
（５）収縮期血圧
（６）疲労についての主観的評価
（７）うつについての主観的評価
（８）副交感神経の活動
（９）自律神経系全体の活動
（１０）認知機能
を含む、項目２２に記載の作成方法。
（項目２４）
前記第２パラメータセットは、年齢、疲労についての主観的評価、疲労持続期間、交感神経と副交感神経のバランス、認知機能、脂肪率、血中中性脂肪、血中酸化ストレス指標ＯＳＩ、および血中ＣＲＰを含む、項目１９〜２１のいずれか一項に記載の方法。
（項目２５）
ユーザの健康度を推定する方法であって、
前記ユーザの第２パラメータセットに対する第１ユーザデータセットを取得することと、
前記第１ユーザデータセットを健康関数に入力することにより第１出力を得ることと、
前記第１出力を健康度ポジショニングマップ上にマッピングすることと
を含み、前記健康関数は、前記ユーザデータセットと前記健康度ポジショニングマップ上の位置とを相関させる関数である、方法。
（項目２６）
前記第２パラメータセットは侵襲性検査の結果を含まない、項目２５に記載の方法。
（項目２７）
前記第２パラメータセットは、
（１）年齢
（２）ＢＭＩ
（３）脂肪率
（４）ＳＯＳ
（５）収縮期血圧
（６）疲労についての主観的評価
（７）うつについての主観的評価
（８）副交感神経の活動
（９）自律神経系全体の活動
（１０）認知機能
を含む、項目２６に記載の方法。
（項目２８）
前記第２パラメータセットは、年齢、疲労についての主観的評価、疲労持続期間、交感神経と副交感神経のバランス、認知機能、脂肪率、血中中性脂肪、血中酸化ストレス指標ＯＳＩ、および血中ＣＲＰを含む、項目２５に記載の方法。
（項目２９）
前記健康度ポジショニングマップは、第１パラメータセットを用いて作成されたものであり、前記第１パラメータセットは、自律神経パラメータ、生体酸化パラメータ、生体修復エネルギー低下パラメータ、および炎症パラメータを含む、項目２５〜２８のいずれか一項に記載の方法。
（項目３０）
前記第１パラメータセットは基礎的パラメータ、認知機能パラメータおよび主観的パラメータをさらに含む、項目２９に記載の方法。
（項目３１）
健康度ポジショニングマップを作成するためのシステムであって、
複数の被験者の各々について、第１パラメータセットに対する第１データセットを取得する取得手段と、
第１データを得るように、前記第１データセットを処理する処理手段と、
前記複数の被験者の各々について、前記処理された第１データをマッピングするマッピング手段と、
複数の領域を特定するように、前記マッピングされた前記第１データをクラスタリングするクラスタリング手段と、
前記複数の領域のうちの少なくとも一部を特徴付ける特徴付け手段と
を備えるシステム。
（項目３２）
健康度ポジショニングマップ上に被験者の健康度をマッピングするための健康関数を作成するためのシステムであって、
項目３１に記載のシステムによって作成された健康度ポジショニングマップを取得する第１取得手段と、
前記複数の被験者のうちの少なくとも一部について、第２パラメータセットに対する第２データセットを取得する第２取得手段であって、前記第２パラメータセットは、前記第１パラメータセットの一部である、第２取得手段と、
前記第２データセットと、前記少なくとも一部の被験者の前記健康度ポジショニングマップ上の位置とを相関させる健康関数を導出する導出手段と
を備えるシステム。
（項目３３）
ユーザの健康度を推定するためのシステムであって、
項目３２に記載のシステムによって作成された健康関数を取得する第３取得手段と、
前記ユーザの前記第２パラメータセットに対する第１ユーザデータセットを取得する第４取得手段と、
前記第１ユーザデータセットを前記健康関数に入力することにより第１出力を生成する出力生成手段と、
前記第１出力を前記健康度ポジショニングマップ上にマッピングする出力マッピング手段と
を備えるシステム。
（項目３４）
健康度ポジショニングマップ上に被験者の健康度をマッピングするための健康関数を作成するためのシステムであって、
第１パラメータセットを用いて作成された健康度ポジショニングマップを取得する第１取得手段と、
第２パラメータセットに対する第２データセットを取得する第２取得手段であって、前記第２パラメータセットは、前記第１パラメータセットの一部である、第２取得手段と、
前記第２データセットと、被験者の前記健康度ポジショニングマップ上の位置とを相関させる健康関数を導出する導出手段と
を備えるシステム。
（項目３５）
ユーザの健康度を推定するためのシステムであって、
前記ユーザの第２パラメータセットに対する第１ユーザデータセットを取得する取得手段と、
前記第１ユーザデータセットを健康関数に入力することにより第１出力を生成する出力生成手段と、
前記第１出力を健康度ポジショニングマップ上にマッピングする出力マッピング手段と
を備え、前記健康関数は、前記ユーザデータセットと前記健康度ポジショニングマップ上の位置とを相関させる関数である、システム。
（項目３６）
健康度ポジショニングマップを作成するためのプログラムであって、前記プログラムは、プロセッサ部を備えるコンピュータシステムにおいて実行され、前記プログラムは、
複数の被験者の各々について、第１パラメータセットに対する第１データセットを取得することと、
前記第１データセットを処理する処理して、第１データを得ることと、
前記複数の被験者の各々について、前記処理された第１データをマッピングすることと、
前記マッピングされた前記第１データをクラスタリングすることにより、複数の領域を特定することと、
前記複数の領域のうちの少なくとも一部を特徴付けることと
を含む処理を前記プロセッサ部に行わせる、プログラム。
（項目３７）
健康度ポジショニングマップ上に被験者の健康度をマッピングするための健康関数を作成するためのプログラムであって、前記プログラムは、プロセッサ部を備えるコンピュータシステムにおいて実行され、前記プログラムは、
項目３６に記載のプログラムを実行することによって作成された健康度ポジショニングマップを取得することと、
前記複数の被験者のうちの少なくとも一部について、第２パラメータセットに対する第２データセットを取得することであって、前記第２パラメータセットは、前記第１パラメータセットの一部である、ことと、
前記第２データセットと、前記少なくとも一部の被験者の前記健康度ポジショニングマップ上の位置とを相関させる健康関数を導出することと
を含む処理を前記プロセッサ部に行わせる、プログラム。
（項目３８）
ユーザの健康度を推定するためのプログラムであって、前記プログラムは、プロセッサ部を備えるコンピュータシステムにおいて実行され、前記プログラムは、
項目３７に記載のプログラムを実行することによって作成された健康関数を取得することと、
前記ユーザの前記第２パラメータセットに対する第１ユーザデータセットを取得することと、
前記第１ユーザデータセットを前記健康関数に入力することにより第１出力を得ることと、
前記第１出力を前記健康度ポジショニングマップ上にマッピングすることと
を含む処理を前記プロセッサ部に行わせる、プログラム。
（項目３９）
健康度ポジショニングマップ上に被験者の健康度をマッピングするための健康関数を作成するためのプログラムであって、前記プログラムは、プロセッサ部を備えるコンピュータシステムにおいて実行され、前記プログラムは、
第１パラメータセットを用いて作成された健康度ポジショニングマップを取得することと、
第２パラメータセットに対する第２データセットを取得することであって、前記第２パラメータセットは、前記第１パラメータセットの一部である、ことと、
前記第２データセットと、被験者の前記健康度ポジショニングマップ上の位置とを相関させる健康関数を導出することと
を含む処理を前記プロセッサ部に行わせる、プログラム。
（項目４０）
ユーザの健康度を推定するためのプログラムであって、前記プログラムは、プロセッサ部を備えるコンピュータシステムにおいて実行され、前記プログラムは、
前記ユーザの第２パラメータセットに対する第１ユーザデータセットを取得することと、
前記第１ユーザデータセットを健康関数に入力することにより第１出力を得ることと、
前記第１出力を健康度ポジショニングマップ上にマッピングすることと
を含む処理を前記プロセッサ部に行わせ、前記健康関数は、前記ユーザデータセットと前記健康度ポジショニングマップ上の位置とを相関させる関数である、プログラム。
【発明の効果】
【０００９】
本発明の一態様によれば、様々な健康リスクを評価することができる手段（例えば、健康度ポジショニングマップ、健康関数等）を提供することができる。
【図面の簡単な説明】
【００１０】
【図１Ａ】ユーザの健康状態を可視化するための新たなサービスのフローの一例を示す図である。
【図１Ｂ】ユーザの健康状態を示す画面１０００の一例を示す図である。
【図２】コンピュータシステム１００の構成の一例を示す図である。
【図３Ａ】一実施形態におけるプロセッサ部１２０の構成の一例を示す図である。
【図３Ｂ】別の実施形態におけるプロセッサ部１３０の構成の一例を示す図である。
【図３Ｃ】さらに別の実施形態におけるプロセッサ部１４０の構成の一例を示す図である。
【図３Ｄ】本発明の一実施形態におけるデータフローの一例を示す図である。
【図４】データベース部２００に格納される第１データセットのデータ構成の一例を示す図である。
【図５Ａ】コンピュータシステム１００における処理の一例を示すフローチャートである。
【図５Ｂ】コンピュータシステム１００における処理の別の一例を示すフローチャートである。
【図６】コンピュータシステム１００における処理の別の一例を示すフローチャートである。
【図７Ａ】コンピュータシステム１００における処理の別の一例を示すフローチャートである。
【図７Ｂ】図７Ａに示される処理７００の続きの処理の一例を示すフローチャートである。
【図８】上記健康評価装置によって作成される健康評価マップの一例を示す図である。
【図９】本実施例においてプロット分布パターンをクラスタリングした結果を示す図である。
【図１０】一実施例において作成した健康度ポジショニングマップを示す図である。
【図１１】５０項目の第２パラメータセットによる健康関数、２１項目による第２パラメータセットによる健康関数、９項目による第２パラメータセットによる健康関数のそれぞれの、実測値と予測値との相関係数を示す図である。
【図１２】非侵襲１５項目の第２パラメータセットによる健康関数の実測値と予測値との相関係数を示す図である。
【図１３】還元型ＣｏＱ１０を摂取する前と、３か月間摂取した後で、健康度ポジショニングマップ上でのマッピング位置を比較した結果を示す図である。
【図１４】還元型ＣｏＱ１０を摂取する前と、３か月間摂取した後で、検査項目のパラメータを比較した結果を示す図である。
【発明を実施するための形態】
【００１１】
以下、図面を参照しながら、本発明の実施の形態を説明する。なお、本明細書中において「約」とは、後に続く数値の±１０％を意味する。
【００１２】
１．ユーザの健康状態を可視化するためのサービス
本発明の発明者は、ユーザの健康状態を可視化するための新たなサービスを開発した。そのサービスとは、ユーザの健康に関する様々なデータを取得し、取得されたデータに基づいて、そのユーザの健康度が健康度ポジショニングマップ上のどの領域に位置付けられるかの情報をユーザに提供するサービスである。ここで、健康度ポジショニングマップとは、健康に関する情報で特徴付けられた複数の領域を有するマップのことをいう。
【００１３】
健康度ポジショニングマップの各領域は、例えば、健康度の種々の状態として特徴付けられ得る。例えば、健康度ポジショニングマップの或る領域は、若年・メンタルヘルス疾患リスク群として特徴付けられ得、健康度ポジショニングマップの別の或る領域は、中年−老年・生活習慣病リスク群として特徴付けられ得、健康度ポジショニングマップのさらに別の或る領域は、老年・糖尿病リスク群として特徴付けられ得る。例えば、健康度ポジショニングマップの或る領域は、ある健康状態についての未病群として特徴付けられ得、の別の或る領域は、その健康状態についてのハイリスク群として特徴付けられ得る。なお、これらの特徴付けは一例であり、種々の特徴付けがなされ得る。例えば、後述する図１Ｂに示されるように、身体の健康および精神の健康を軸として、健康度Ａ〜Ｃとして特徴づけられるようにしてもよい。このような特徴付けは、シンプルであり、健康度の状態が直感的に理解され得る。健康度ポジショニングマップの各領域の特徴付けは、例えば、各領域内に属する複数の被験者の傾向を分析することによって決定されるようにすることができる。
【００１４】
図１Ａは、ユーザの健康状態を可視化するための新たなサービスのフローの一例を示す。
【００１５】
ステップＳ１では、ユーザＵが、例えば、病院や専門検査施設などの施設Ｈで検査を受け、検査の結果がサービスプロバイダＰに提供される。施設Ｈでの検査は、例えば、血液検査等の侵襲性検査に加えて、問診および認知機能検査等の非侵襲性検査を含み得る。あるいは、ステップＳ１では、ユーザＵが、例えば、検査施設ではない会社などの施設Ｃで簡易な検査を受け、検査の結果がサービスプロバイダＰに提供される。施設Ｃでの簡易な検査は、例えば、問診および認知機能検査等の非侵襲性検査のみを含み得る。ステップＳ１においては、施設Ｈで行われるような侵襲性検査および非侵襲性検査と、施設Ｃで行われるような非侵襲性検査の両方を行う必要はなく、施設Ｈで行われる検査だけでもよいし、施設Ｃで行われる簡易な検査だけでもよい。なお、本明細書において、「侵襲性検査」とは検査対象の身体を（例えば、注射による血液採取や組織切除によって）傷つける検査をいい、「非侵襲性検査」とは検査対象の身体を何ら傷つけない検査をいう。代表的な侵襲性検査は血液や血漿に含まれる成分量を検出する検査であり、代表的な非侵襲検査は対象の排泄物（尿、呼気、唾液）における成分を検出する検査や、自律神経機能検査、認知機能検査、質問票・ＶＡＳ（Ｖｉｓｕａｌ  Ａｎａｌｏｇｕｅ  Ｓｃａｌｅ）などである。本明細書において、「侵襲的パラメータ」とは侵襲性検査によって得られるパラメータをいい、「非侵襲的パラメータ」とは非侵襲性検査によって得られるパラメータをいう。
【００１６】
サービスプロバイダＰは、提供されたユーザの検査結果に基づいて、そのユーザの健康度が健康度ポジショニングマップ上のどの領域に位置付けられたかの情報を生成することができる。
【００１７】
ステップＳ２では、サービスプロバイダＰによって生成された情報が、ユーザに提供される。ユーザは、自身の健康度が位置付けられた健康度ポジショニングマップ上の領域に関連付けられた情報を参照することにより、自身の健康状態を認識することができる。例えば、自身の健康度が、図１Ｂに示されるような健康度ポジショニングマップ上の健康度Ｂとして特徴づけられた領域に属する場合には、ユーザは、自身の健康度が悪くはないが良くもないことを認識することができる。これにより、例えば、ユーザに、自身の健康度が改善されるよう心がけるよう促すことが可能である。例えば、自身の健康度が、健康度ポジショニングマップ上の若年・メンタルヘルス疾患リスク群として特徴付けられた領域に属する場合には、ユーザは、自身にメンタルヘルス疾患リスクがあるとして、自身の健康状態を認識することができる。これにより、例えば、ユーザに、メンタルヘルス疾患リスクに備える措置を講じるように促すことが可能である。
【００１８】
さらに、所定期間経過後に、上述したステップＳ１〜ステップＳ２を繰り返すことにより、ユーザは、自身の健康状態の時系列変化を認識することができる。例えば、ユーザは、健康度ポジショニングマップ上での位置の時系列変化を参照することにより、自身の健康状態が向かう方向を認識することができる。例えば、自身の健康度が、図１Ｂに示されるような健康度ポジショニングマップ上の健康度Ｂとして特徴づけられた領域に属していたところ、所定期間経過後に、自身の健康度が、健康度ポジショニングマップ上の健康度Ｂとして特徴付けられた領域に属してはいるものの、健康度Ｃとして特徴付けられた領域に近づいていた場合には、ユーザは、自身の健康状態が健康度Ｃの方向へ向かっていることを認識し得る。これにより、例えば、ユーザに、自身の健康度が悪化しないように心がけるよう促すことが可能である。例えば、自身の健康度が健康度ポジショニングマップ上の若年・メンタルヘルス疾患リスク群として特徴付けられた領域に属していたところ、所定期間経過後に、自身の健康度が、健康度ポジショニングマップ上の若年・メンタルヘルス疾患リスク群として特徴付けられた領域に属してはいるものの、中年−老年・生活習慣病リスク群として特徴付けられた領域に近づいていた場合には、ユーザは、自身の健康状態が中年−老年・生活習慣病リスクの方向へ向かっていることを認識し得る。これにより、例えば、ユーザに、生活習慣病リスクに備える措置を講じるように促すことが可能である。
【００１９】
図１Ｂは、ユーザの健康状態を示す画面１０００の一例を示す。画面１０００は、例えば、ユーザの端末装置（例えば、パーソナルコンピュータ、スマートフォン、タブレット等）の表示画面上に表示されて、ユーザに提供され得る。
【００２０】
画面１０００は、健康度ポジショニングマップ表示部１１００と、レーダーチャート表示部１２００とを含む。
【００２１】
健康度ポジショニングマップ表示部１１００には、健康度ポジショニングマップが表示されている。この健康度ポジショニングマップにおいて、横軸は、身体の健康に関連付けられており、横軸の値が大きいほど、身体の健康が悪いことを示している一方で、縦軸は、精神の健康に関連付けられており、縦軸の値が大きいほど、精神の健康が悪いことを示している。
【００２２】
健康度ポジショニングマップ表示部１１００に表示された健康度ポジショニングマップは、１０個の領域を含んでおり、１０個の領域のうち、１つの領域が健康度Ａとして特徴付けられており、３つの領域が健康後Ｂとして特徴付けられており、６個の領域が健康度Ｃとして特徴づけられている。ここで、健康度Ａが、健康度が良好であることを示し、健康度Ｂが、健康度が普通であることを示し、健康度Ｃが、健康度が悪く、注意を要することを示している。
【００２３】
ユーザは、自身の健康度が、健康度ポジショニングマップ上のどの領域に位置付けられるかに応じて、自身の健康状態を認識することができる。図１Ｂに示される例では、ユーザの健康度が星印でプロットされており、ユーザの健康度は、健康度Ｂとして特徴付けられた領域内に属していることがわかる。
【００２４】
レーダーチャート表示部１２００には、レーダーチャートが表示されている。このレーダーチャートでは、健康状態が６つの観点（筋骨格運動器系、代謝・メタボ系、自律神経系、睡眠覚醒リズム、メンタルヘルス、疲労）から０〜５の６段階で示されている。筋骨格運動器系の観点は、運動に関わる筋力などの状態を示し、代謝・メタボ系の観点は、体内のエネルギー代謝や肥満などの状態を示し、自律神経系の観点は、集中やリラックスに関する神経の調節力の状態を示し、睡眠覚醒リズムの観点は、睡眠や眠気などの状態の観点を示し、メンタルヘルスの観点は、気分の落ち込みなどの状態を示し、疲労の観点は、心や身体の疲れの状態を示している。ユーザは、自身の健康状態がどの観点に起因しているのかを一目で認識することができる。レーダーチャート表示部１２００に表示されるレーダーチャートは、各軸が健康に関する情報で特徴付けられており、軸毎にそのユーザの得点がマッピングされていることから、本願明細書では、このようなレーダーチャートも、健康度ポジショニングマップの一種であると見なされ得る。
【００２５】
上述したサービスは、例えば、以下に説明する、コンピュータシステム１００によって実現され得る。
【００２６】
２．コンピュータシステムの構成
図２は、コンピュータシステム１００の構成の一例を示す。
【００２７】
コンピュータシステム１００は、データベース部２００に接続されている。また、コンピュータシステム１００は、少なくとも１つのユーザ端末装置３００にネットワーク４００を介して接続されている。
【００２８】
ネットワーク４００は、任意の種類のネットワークであり得る。ネットワーク４００は、例えば、インターネットであってもよいし、ＬＡＮであってもよい。ネットワーク４００は、有線ネットワークであってもよいし、無線ネットワークであってもよい。
【００２９】
コンピュータシステム１００の一例は、ユーザの健康状態を可視化するための新たなサービスを提供するサービスプロバイダに設置されているコンピュータ（例えば、サーバ装置）であるが、これに限定されない。ユーザ端末装置３００の一例は、病院に設置されているコンピュータ（例えば、端末装置）、検査を行うことが可能なオフィスの一室に設置されているコンピュータ（例えば、端末装置）、または、ユーザが保持するコンピュータ（例えば、端末装置）であるが、これに限定されない。ここで、コンピュータ（サーバ装置または端末装置）は、任意のタイプのコンピュータであり得る。例えば、端末装置は、スマートフォン、タブレット、パーソナルコンピュータ、スマートグラス等の任意のタイプの端末装置であり得る。
【００３０】
コンピュータシステム１００は、インターフェース部１１０と、プロセッサ部１２０と、メモリ１５０部とを備える。
【００３１】
インターフェース部１１０は、コンピュータシステム１００の外部と情報のやり取りを行う。コンピュータシステム１００のプロセッサ部１２０は、インターフェース部１１０を介して、コンピュータシステム１００の外部から情報を受信することが可能であり、コンピュータシステム１００の外部に情報を送信することが可能である。インターフェース部１１０は、任意の形式で情報のやり取りを行うことができる。
【００３２】
インターフェース部１１０は、例えば、コンピュータシステム１００に情報を入力することを可能にする入力部を備える。入力部が、どのような態様でコンピュータシステム１００に情報を入力することを可能にするかは問わない。例えば、入力部がタッチパネルである場合には、ユーザがタッチパネルにタッチすることによって情報を入力するようにしてもよい。あるいは、入力部がマウスである場合には、ユーザがマウスを操作することによって情報を入力するようにしてもよい。あるいは、入力部がキーボードである場合には、ユーザがキーボードのキーを押下することによって情報を入力するようにしてもよい。あるいは、入力部がマイクである場合には、ユーザがマイクに音声を入力することによって情報を入力するようにしてもよい。あるいは、入力部がカメラである場合には、カメラが撮像した情報を入力するようにしてもよい。あるいは、入力部がデータ読み取り装置である場合には、コンピュータシステム１００に接続された記憶媒体から情報を読み取ることによって情報を入力するようにしてもよい。あるいは、入力部が受信器である場合、受信器がネットワーク４００を介してコンピュータシステム１００の外部から情報を受信することにより入力してもよい。
【００３３】
インターフェース部１１０は、例えば、コンピュータシステム１００から情報を出力することを可能にする出力部を備える。出力部が、どのような態様でコンピュータシステム１００から情報を出力することを可能にするかは問わない。例えば、出力部が表示画面である場合、表示画面に情報を出力するようにしてもよい。あるいは、出力部がスピーカである場合には、スピーカからの音声によって情報を出力するようにしてもよい。あるいは、出力部がデータ書き込み装置である場合、コンピュータシステム１００に接続された記憶媒体に情報を書き込むことによって情報を出力するようにしてもよい。あるいは、出力部が送信器である場合、送信器がネットワーク４００を介してコンピュータシステム１００の外部に情報を送信することにより出力してもよい。この場合、ネットワークの種類は問わない。例えば、送信器は、インターネットを介して情報を送信してもよいし、ＬＡＮを介して情報を送信してもよい。
【００３４】
プロセッサ部１２０は、コンピュータシステム１００の処理を実行し、かつ、コンピュータシステム１００全体の動作を制御する。プロセッサ部１２０は、メモリ部１５０に格納されているプログラムを読み出し、そのプログラムを実行する。これにより、コンピュータシステム１００を所望のステップを実行するシステムとして機能させることが可能である。プロセッサ部１２０は、単一のプロセッサによって実装されてもよいし、複数のプロセッサによって実装されてもよい。
【００３５】
メモリ部１５０は、コンピュータシステム１００の処理を実行するために必要とされるプログラムやそのプログラムの実行に必要とされるデータ等を格納する。メモリ部１５０は、健康度ポジショニングマップを作成するための処理をプロセッサ部１２０に行わせるためのプログラム（例えば、後述する図５Ａ、図５Ｂに示される処理を実現するプログラム）、健康関数を作成するための処理をプロセッサ部１３０に行わせるためのプログラム（例えば、後述する図６に示される処理を実現するプログラム）、ユーザの健康度を推定するための処理をプロセッサ部１４０に行わせるためのプログラム（例えば、後述する図７Ａ、図７Ｂに示される処理を実現するプログラム）、を格納してもよい。ここで、プログラムをどのようにしてメモリ部１５０に格納するかは問わない。例えば、プログラムは、メモリ部１５０にプリインストールされていてもよい。あるいは、プログラムは、ネットワークを経由してダウンロードされることによってメモリ部１５０にインストールされるようにしてもよい。この場合、ネットワークの種類は問わない。メモリ部１５０は、任意の記憶手段によって実装され得る。
【００３６】
データベース部２００には、例えば、複数の被験者から得られたデータが格納され得る。また、データベース部２００には、例えば、コンピュータシステム１００によって生成された健康度ポジショニングマップのデータが格納され得る。また、データベース部２００には、例えば、コンピュータシステム１００によって生成された健康関数が格納され得る。
【００３７】
図３Ａは、一実施形態におけるプロセッサ部１２０の構成の一例を示す。プロセッサ部１２０は、健康度ポジショニングマップを作成する処理のための構成を有し得る。
【００３８】
プロセッサ部１２０は、取得手段１２１と、処理手段１２２と、マッピング手段１２３と、クラスタリング手段１２４と、特徴付け手段１２５とを備える。
【００３９】
取得手段１２１は、複数の被験者の各々について、後述する第１パラメータセットに対する第１データセットを取得するように構成されている。例えば、取得手段１２１は、被験者１人当たりに複数の項目（例えば、或る実施形態では、２３２項目、）のデータセットを取得する。第１パラメータセットは、例えば、初期パラメータセットのデータセットを取得し、初期パラメータセットのデータセットの各データ間の相関を取り、相関係数が所定の閾値以上のパラメータを抽出することによって得られたパラメータセットであってもよい。このとき、抽出されるパラメータセットには、後述する基本４パラメータを含むように抽出されることができる。
【００４０】
取得手段１２１は、例えば、データベース部２００に格納された複数の被験者についてのデータを、インターフェース部１１０を介して受信し、受信されたデータを取得することができる。取得手段１２１は、例えば、データベース部２００に格納された複数の被験者についてのデータを、検査施設（例えば、病院、研究所等）のコンピュータシステムからインターフェース部１１０を介して受信し、受信されたデータを取得することができる。取得された第１データセットは、後続の処理のために、処理手段１２２に渡される。
【００４１】
データベース部２００には、第１パラメータセットに対する第１データセットが格納され得る。
【００４２】
図４は、データベース部２００に格納される第１データセットのデータ構成の一例を示す。
【００４３】
データベース部２００には、複数の被験者の各々について、第１パラメータセットに対する第１データセットが格納されている。複数の被験者の各々には、ＩＤが付与されている。例えば、データベース部２００には、年齢、筋肉量、ＢＭＩ、脂肪率、超音波伝導速度、骨粗鬆症指数・・・等の第１パラメータセットの各パラメータの値のセット（第１データセット）が格納されている。
【００４４】
再び図３Ａを参照すると、一実施形態において、取得手段１２１はさらに、作成された健康度ポジショニングマップに含まれる複数の領域のうちの一部の領域に含まれる第１データを、サブ第１データとして取得するように構成されてもよい。あるいは、取得手段１２１は、後述するクラスタリング手段１２４によって特定された複数の領域のうちの一部の領域に含まれる第１データを、サブ第１データとして取得するように構成されてもよい。取得手段１２１は、例えば、健康度ポジショニングマップ作成者によって選択された領域内の第１データを取得することができる。健康度ポジショニングマップ作成者は、領域の選択を、インターフェース部１１０を介してコンピュータシステム１００に入力することができる。健康度ポジショニングマップ作成者は、例えば、複数の被験者のうちの特定の集団、例えば、男性被験者集団、女性被験者集団、若年層集団（４０歳未満の集団）、中年層集団（４０歳以上６０歳未満の集団）、老年層集団（６０歳以上の集団）等にフォーカスした健康度ポジショニングマップを作成するために、それらの集団が属し得る領域を選択することができる。取得されたサブ第１データは、後続の処理のためにクラスタリング手段１２４に渡され得る。
【００４５】
処理手段１２２は、取得手段１２１によって取得された第１データセットを処理するように構成されている。処理手段１２２は、第１データセットを処理することにより、第１データを出力することができる。
【００４６】
処理手段１２２による処理は、出力される第１データをマッピングすることができる限り、任意の処理を含み得る。男女混合データに基づいてポジショニングマップを作成する場合には、性差の補正を行うことが好ましい。
【００４７】
処理手段１２２による処理は、例えば、次元削減処理を含み得る。次元削減処理は、ｍ次元のデータをｎ次元のデータに変換する処理であり、ここで、ｍ＞ｎである。次元削減処理は、例えば、多次元尺度構成法（ＭＤＳ：ｍｕｌｔｉ−ｄｉｍｅｎｓｉｏｎａｌ  ｓｃａｌｉｎｇ）、主成分分析、重回帰分析、主成分分析、または機械学習等を用いて行われ得るが、次元削減処理の手段はこれらに限定されない。次元削減処理は、第１データセットを２次元のデータまたは３次元のデータに削減することが好ましい。２次元のデータまたは３次元のデータを、後述するマッピング手段１２３によってマッピングすると、２次元空間または３次元空間のマップとなり、視覚的に理解しやすいマップを得ることができるからである。次元削減処理は、多次元尺度構成法を用いて行われ得る。多次元尺度構成法によって得られる第１データを、後述するマッピング手段１２３によってマッピングすると、視覚的に理解しやすいマップを得ることができるからである。
【００４８】
処理手段１２２による処理は、例えば、標準化処理を含み得る。標準化処理は、第１データセットのパラメータ毎のデータのスケールを揃える処理である。標準化処理は、例えば、Ｚスコアを算出する処理（平均値が０であり、かつ、標準偏差が１であるようにデータを補正する処理）、Ｔスコアを算出する処理（平均値が５０であり、かつ、標準偏差が１０であるようにデータを補正する処理）等であり得る。処理手段１２２は、第１パラメータセットのうちのすべてのパラメータについて、第１データセットのデータの標準化処理を行うようにしてもよいし、特定のパラメータについて、第１データセットのデータの標準化処理を行うようにしてもよい。
【００４９】
処理手段１２２は、複数の被験者の全体の第１データセットについて、標準化処理を行うようにしてもよいし、複数の被験者のうちの特定の母集団の第１データセットについて、標準化処理を行うようにしてもよい。複数の被験者のうちの特定の母集団は、例えば、男性被験者集団、女性被験者集団、若年層集団（４０歳未満の集団）、中年層集団（４０歳以上６０歳未満の集団）、老年層集団（６０歳以上の集団）等を含むがこれらに限定されない。処理手段１２２は、複数の被験者から任意の母集団を形成し、その母集団の第１データセットについて、標準化処理を行うことができる。
【００５０】
例えば、処理手段１２２は、複数の被験者からの第１データセットを、男性被験者のデータセットと、女性被験者のデータセットとに分類し、男性被験者のデータセットを標準化することにより、男性被験者集団についての標準化処理を行うことができ、あるいは、女性被験者のデータセットを標準化することにより、女性被験者集団についての標準化処理を行うことができ、あるいは、これらの両方を行うことができる。このように、男性被験者集団および／または女性被験者集団について標準化処理を行うことは、第１のパラメータセットのうち男女差があるパラメータ（例えば、血液中の中性脂肪濃度等）に対して好ましく、第１のパラメータセットのうち男女差が顕著なパラメータ（例えば、血液中の赤血球数等）に対してより好ましい。これにより、男女差がなくなり、男女差による偏りのない健康度ポジショニングマップを作成することができるようになるからである。
【００５１】
処理手段１２２による処理は、例えば、重み付け処理を含み得る。重み付け処理は、第１データセットのうちの少なくとも一部のデータに重みを付ける処理である。例えば、第１データセットのうちの少なくとも一部のデータに所定数を加算して重みを付けるようにしてもよいし、第１データセットのうちの少なくとも一部のデータに所定数を乗算して重みを付けるようにしてもよい。加算または乗算される所定数は、重み付け処理されるデータ毎に一定であってもよいし、異ならせてもよい。例えば、後述する導出手段１３３によって導出される健康関数に対する影響が大きいデータに対して、大きくまたは小さく重みを付けるように所定数を変動させることができる。あるいは、例えば、後述する導出手段１３３によって導出される健康関数に対する影響が小さいデータに対して、大きくまたは小さく重みを付けるように所定数を変動させることができる。
【００５２】
処理手段１２２は、複数の被験者の全体の第１データセットについて、重み付け処理を行うようにしてもよいし、複数の被験者のうちの特定の母集団の第１データセットについて、重み付け処理を行うようにしてもよい。処理手段１２２は、複数の被験者から任意の母集団を形成し、その母集団の第１データセットについて、重み付け処理を行うことができる。重み付け処理が行われる母集団は、上述した標準化処理が行われる母集団と同じであってもよいし、異なっていてもよい。
【００５３】
マッピング手段１２３は、複数の被験者の各々について、処理手段１２２の出力である第１データをマッピングするように構成されている。マッピング手段１２３によるマッピングは、ｎ次元の第１データをｎ次元空間上の位置に関連付ける処理である。マッピング手段１２３は、第１データをマッピングすることにより、複数の被験者の各々の第１データがマッピングされたマップを出力することができる。例えば、第１データが２次元である場合には、マッピング手段１２３は、第１データを、２次元空間、すなわち、平面上の位置に関連付けるように、第１データをマッピングすることにより、２次元マップを出力することができる。図８は、マッピング手段１２３によるマッピング結果の一例を示す図である。図８に示すように、マッピング手段１２３は、複数の被験者について、処理手段１２２によって得られた第１データによって定められる点を、２次元空間（多次元空間）にプロットすることによりマップを出力する。マッピング手段１２３は、例えば、ｎ次元の第１データをｎ個の軸を有するレーダーチャート上にマッピングすることにより、複数の被験者の各々の第１データがマッピングされたマップ（レーダーチャート）を出力するようにしてもよい。
【００５４】
クラスタリング手段１２４は、マッピング手段１２３によってマッピングされた第１データをクラスタリングするように構成されている。クラスタリング手段１２４によるクラスタリングは、マッピングされた第１データを複数のクラスターに区分し、複数のクラスターが属するそれぞれの領域を特定する処理である。本明細書において、「領域」は、ｎ次元空間内の或る範囲のことをいい、ｎ次元の広がりを有する。クラスタリング手段１２４は、マッピングされた第１データを任意の個数のクラスターに区分することができる。例えば、クラスタリング手段１２４は、マッピングされた第１データを少なくとも３個のクラスターに区分することが好ましい。３個のクラスター（例えば、図１Ｂに示されるような、健康度良好、健康度普通、健康度悪い等のクラスター）を用いることにより、ユーザが直感的に理解できるような健康度ポジショニングマップを作成することができるからである。マッピングされた第１データが区分されるクラスターの数は、複数の被験者のＮ数に依存するようにしてもよい。図８に示す例では、クラスタリング手段１２４は、マッピング手段１２３によってマッピングされた第１データを４つのクラスターに分類している。クラスタリング手段１２４は、任意の公知の手法を用いて、データをクラスタリングすることができる。例えば、クラスタリング手段１２４は、非階層クラスタリング法（例えば、ｋ平均法、ｋ平均＋＋法、ＰＡＭ法等）を用いて、データを複数のクラスターに区分することができる。クラスタリング手段１２４は、好ましくは、ｋ平均法を用いてデータを複数のクラスターに区分し得る。ｋ平均法を用いたクラスタリングの結果は、他の手法によるクラスタリングの結果に比べて、被験者集団の傾向をよく反映しており、含まれる情報がリッチであったからである。クラスタリング手段１２４は、例えば、複数のクラスターのそれぞれを区分する境界を画定することによって、複数の領域を特定することができる。境界を画定することは、任意の公知の処理を用いて行われることができる。例えば、上述したレーダーチャートの例では、クラスタリング手段１２４は、単に、各軸の値を他の軸の値と区分し、複数の軸を複数の領域として特定することができる。
【００５５】
一実施形態において、クラスタリング手段１２４はさらに、取得手段１２１によって取得されたサブ第１データをクラスタリングするように構成され得る。クラスタリング手段１２４は、サブ第１データを複数のクラスターに区分し、複数のクラスターが属するそれぞれの領域を特定することができる。クラスタリング手段１２４は、サブ第１データを任意の個数のクラスターに区分することができる。
【００５６】
特徴付け手段１２５は、クラスタリング手段１２４によって特定された複数の領域のうちの少なくとも一部を特徴付けるように構成されている。特徴付け手段１２５は、例えば、健康度ポジショニングマップ作成者によってインターフェース部１１０を介してコンピュータシステム１００に入力された情報に基づいて、複数の領域のうちの少なくとも一部を特徴付けるようにしてもよい。例えば、健康度ポジショニングマップ作成者は、複数の領域のそれぞれに含まれる第１データに対応する被験者の特徴を分析し、分析結果に基づいて、その領域が特徴付けられるべき情報を入力することができる。あるいは、特徴付け手段１２５は、健康度ポジショニングマップ作成者による入力に依らずに、複数の領域のうちの少なくとも一部を特徴付けるようにしてもよい。例えば、特徴付け手段１２５は、健康度ポジショニングマップにおける相対位置に基づいて、複数の領域のうちの少なくとも一部を特徴付けてもよいし、機械学習に基づいて、複数の領域のうちの少なくとも一部を特徴付けてもよい。
【００５７】
このようにして、複数の領域のうちの少なくとも一部が特徴付けられた健康度ポジショニングマップが作成される。一実施形態において、サブ第１データをクラスタリングすることによって特定された複数の領域のうちの一部が特徴付けられた場合の健康度ポジショニングマップは、複数の被験者のうちの一部の被験者についての健康度ポジショニングマップとなる。
【００５８】
プロセッサ部１２０によって作成された健康度ポジショニングマップは、例えば、インターフェース部１１０を介してコンピュータシステム１００の外部に出力される。健康度ポジショニングマップは、例えば、インターフェース部１１０を介してデータベース部２００に送信され、データベース部２００に格納されてもよい。あるいは、健康関数作成のために、後述するプロセッサ部１３０に送信されてもよい。後述するように、プロセッサ部１３０は、プロセッサ部１２０と同じコンピュータシステム１００の構成要素であってもよいし、別のコンピュータシステムの構成要素であってもよい。
【００５９】
図３Ｂは、別の実施形態におけるプロセッサ部１３０の構成の一例を示す。プロセッサ部１３０は、健康度ポジショニングマップ上に被験者の健康度をマッピングするための健康関数を作成する処理のための構成を有し得る。プロセッサ部１３０は、上述したプロセッサ部１２０の代替としてコンピュータシステム１００が備えるプロセッサ部であってもよいし、プロセッサ部１２０に加えてコンピュータシステム１００が備えるプロセッサ部であってもよい。プロセッサ部１３０がプロセッサ部１２０に加えてコンピュータシステム１００が備えるプロセッサ部である場合には、プロセッサ部１２０およびプロセッサ部１３０は、同一のプロセッサによって実装されてもよいし、異なるプロセッサによって実装されてもよい。
【００６０】
プロセッサ部１３０は、第１取得手段１３１と、第２取得手段１３２と、導出手段１３３とを備える。
【００６１】
第１取得手段１３１は、健康度ポジショニングマップを取得するように構成されている。取得される健康度ポジショニングマップは、第１パラメータセットを用いて作成されている限り、上述したプロセッサ部１２０によって作成された健康度ポジショニングマップであってもよいし、別様に作成された健康度ポジショニングマップであってもよい。取得された健康度ポジショニングマップは、後続の処理のために、導出手段１３３に渡される。
【００６２】
第２取得手段１３２は、複数の被験者のうちの少なくとも一部について、後述する第２パラメータセットに対する第２データセットを取得するように構成されている。第２パラメータセットは、第１パラメータセットの一部である。第２取得手段１３２は、例えば、データベース部２００に格納された複数の被験者の一部についてのデータを、インターフェース部１１０を介して取得することができる。取得された第２データセットは、後続の処理のために、導出手段１３３に渡される。
【００６３】
導出手段１３３は、第２取得手段１３２によって取得された第２データセットと、第１取得手段１３１によって取得された健康度ポジショニングマップ上の位置とを相関させる健康関数を導出するように構成されている。導出手段１３３は、例えば、機械学習、決定木分析、ランダムフォレスト回帰、重回帰分析、主成分解析等によって健康関数を導出することができる。健康関数は、例えば、ｎ次元の健康度ポジショニングマップの軸毎に導出され得る。例えば、健康度ポジショニングマップが２次元である場合には、第２データセットと、健康度ポジショニングマップ上のＸ座標とを相関させる健康関数Ｘと、２データセットと、健康度ポジショニングマップ上のＹ座標とを相関させる健康関数Ｙとを導出することができる。導出手段１３３は、例えば、健康関数の変数の数を任意に増減させ、同定の精度を有する複数の健康関数、すなわち、健康関数群（以降では、複数パターン健康関数群とも呼称する）を作成してもよい。例えば、導出手段１３３は、互いに、同程度の精度を持つ、（１）血液検査項目のデータと、他の項目のデータとを変数とする健康関数、並びに、（２）血液検査項目のデータのみを変数とする健康関数を作成してもよい。また、導出手段１３３は、複数パターン健康関数群として、血液検査項目のデータ以外の項目のデータ群から選択されるデータを変数とする健康関数群を作成してもよい。
【００６４】
健康関数は、例えば、回帰モデルであり得る。回帰モデルは、線形回帰モデルであってもよいし、非線形回帰モデルであってもよい。導出手段１３３は、複数の被験者のうちの少なくとも一部の各被験者について、第２データセットを独立変数とし、その被験者の健康度ポジショニングマップ上の座標を従属変数として機械学習することにより、回帰モデルの各係数を導出することができる。このような機械学習済の回帰モデルの独立変数に被験者から得られた第２データセットを入力すると、その被験者の健康度ポジショニングマップ上の座標が出力される。出力された座標を用いて、その被験者の健康度を健康度ポジショニングマップ上にマッピングすることができる。
【００６５】
健康関数は、例えば、ニューラルネットワークモデルであり得る。ニューラルネットワークモデルは、入力層と、少なくとも１つの隠れ層と、出力層とを有する。ニューラルネットワークモデルの入力層のノード数は、入力されるデータの次元数に対応する。すなわち、入力数のノード数は、第２パラメータセットのパラメータ数に対応している。ニューラルネットワークモデルの隠れ層は、任意の数のノードを含むことができる。ニューラルネットワークモデルの出力層のノード数は、出力されるデータの次元数に対応する。すなわち、ニューラルネットワークモデルから健康度ポジショニングマップ上のＸ座標を出力する場合には、出力層のノード数は１となる。例えば、ニューラルネットワークモデルからｎ次元の健康度ポジショニングマップ上のｎ個の座標を出力する場合には、出力層のノード数はｎとなる。導出手段１３３は、複数の被験者のうちの少なくとも一部の各被験者について、第２データセットを入力用教師データとし、その被験者の健康度ポジショニングマップ上の位置を出力用教師データとして機械学習することにより、各ノードの重み係数を導出することができる。
【００６６】
例えば、機械学習のための（入力用教師データ，出力用教師データ）の組は、（第１の被験者についての第２パラメータセットに対する第２データセット，第１の被験者の健康度ポジショニングマップ上の座標）、（第２の被験者についての第２パラメータセットに対する第２データセット，第２の被験者の健康度ポジショニングマップ上の座標）、・・・（第ｉの被験者についての第２パラメータセットに対する第２データセット，第ｉの被験者の健康度ポジショニングマップ上の座標）、・・・等であり得る。このような機械学習済のニューラルネットワークモデルの入力層に被験者から得られた第２データセットを入力すると、その被験者の健康度ポジショニングマップ上の座標が出力層に出力される。出力された座標を用いて、その被験者の健康度を健康度ポジショニングマップ上にマッピングすることができる。
【００６７】
プロセッサ部１３０によって作成された健康関数は、例えば、インターフェース部１１０を介してコンピュータシステム１００の外部に出力される。健康関数は、例えば、インターフェース部１１０を介してデータベース部２００に送信され、データベース部２００に格納されてもよい。あるいは、ユーザの健康度を推定する処理のために、後述するプロセッサ部１４０に送信されてもよい。後述するように、プロセッサ部１４０は、プロセッサ部１３０と同じコンピュータシステム１００の構成要素であってもよいし、別のコンピュータシステムの構成要素であってもよい。
【００６８】
図３Ｃは、さらに別の実施形態におけるプロセッサ部１４０の構成の一例を示す。プロセッサ部１４０は、ユーザの健康度を推定する処理のための構成を有し得る。プロセッサ部１４０による処理では、ユーザの健康度が健康度ポジショニングマップ上のどの領域に位置するかを推定することにより、ユーザの健康度を推定することができる。プロセッサ部１４０は、上述したプロセッサ部１２０およびプロセッサ部１３０の代替としてコンピュータシステム１００が備えるプロセッサ部であってもよいし、上述したプロセッサ部１２０および／またはプロセッサ部１３０に加えてコンピュータシステム１００が備えるプロセッサ部であってもよい。プロセッサ部１４０がプロセッサ部１２０および／またはプロセッサ部１３０に加えてコンピュータシステム１００が備えるプロセッサ部である場合には、プロセッサ部１２０、プロセッサ部１３０、およびプロセッサ部１４０は、すべてが同一のプロセッサによって実装されてもよいし、すべてが異なるプロセッサによって実装されてもよいし、プロセッサ部１２０、プロセッサ部１３０、およびプロセッサ部１４０のうちの２つが同一のプロセッサによって実装されてもよい。
【００６９】
プロセッサ部１４０は、第３取得手段１４１と、第４取得手段１４２と、出力生成手段１４３と、出力マッピング手段１４４とを備える。
【００７０】
第３取得手段１４１は、健康関数を取得するように構成されている。健康関数は、上述した第２パラメータセットに対するデータセットと、健康度ポジショニングマップ上の位置とを相関させる関数である。取得される健康関数は、ユーザデータセットと健康度ポジショニングマップ上の位置とを相関させることができる限り、上述したプロセッサ部１３０によって作成された健康関数であってもよいし、別様に作成された健康関数であってもよい。健康度ポジショニングマップは、第１パラメータセットを用いて作成されている限り、上述したプロセッサ部１２０によって作成された健康度ポジショニングマップであってもよいし、別様に作成された健康度ポジショニングマップであってもよい。取得された健康関数は、後続の処理のために、出力生成手段１４３に渡される。
【００７１】
第４取得手段１４２は、ユーザの第２パラメータセットに対するユーザデータセットを取得するように構成されている。第４取得手段１４２は、例えば、データベース部２００に格納されたユーザデータセットを、インターフェース部１１０を介して取得することができる。あるいは、第４取得手段１４２は、例えば、ユーザデータセットを、ユーザの端末装置からインターフェース部１１０を介して取得することができる。取得されたユーザデータセットは、後続の処理のために、出力生成手段１４３に渡される。
【００７２】
出力生成手段１４３は、健康関数から出力を生成するように構成されている。出力生成手段１４３は、第４取得手段１４２によって取得されたユーザデータセットを、第３取得手段１４１によって取得された健康関数に入力することにより、健康関数から出力を生成する。
【００７３】
例えば、健康関数が上述したような回帰モデルである場合、ユーザデータセットを回帰モデルの独立変数に入力することにより、健康度ポジショニングマップ上の座標が出力される。
【００７４】
例えば、健康関数が上述したようなニューラルネットワークモデルである場合、ユーザデータセットをニューラルネットワークモデルの入力層に入力することにより、健康度ポジショニングマップ上の座標が出力される。
【００７５】
出力マッピング手段１４４は、出力生成手段１４３によって生成された出力を健康度ポジショニングマップ上にマッピングするように構成されている。出力生成手段１４３によって生成された出力が座標であるため、出力マッピング手段１４４は、健康度ポジショニングマップのｎ次元空間内にその座標をマッピングすることができる。
【００７６】
プロセッサ部１４０によって健康度ポジショニングマップ上にマッピングされた出力は、例えば、インターフェース部１１０を介してコンピュータシステム１００の外部に出力される。出力は、例えば、インターフェース部１１０を介してユーザの端末装置に送信され得る。
【００７７】
なお、上述したコンピュータシステム１００の各構成要素は、単一のハードウェア部品で構成されていてもよいし、複数のハードウェア部品で構成されていてもよい。複数のハードウェア部品で構成される場合は、各ハードウェア部品が接続される態様は問わない。各ハードウェア部品は、無線で接続されてもよいし、有線で接続されてもよい。本発明のコンピュータシステム１００は、特定のハードウェア構成には限定されない。プロセッサ部１２０、１３０、１４０をデジタル回路ではなくアナログ回路によって構成することも本発明の範囲内である。本発明のコンピュータシステム１００の構成は、その機能を実現できる限りにおいて上述したものに限定されない。
【００７８】
図３Ｄは、一実施形態におけるコンピュータシステム１００によるデータフロー１の一例を示す図である。図３Ｄに示すように、データフロー１は、データ取得ステップ１０と、データ処理ステップ２０と、健康評価マップ作成ステップ３０と、クラスタリングマップ作成ステップ４０と、健康関数値算出ステップ５０と、ポジショニングマップ作成ステップ６０と、出力ステップ７０とを含む。例えば、データ取得ステップ１０、データ処理ステップ２０、健康評価マップ作成ステップ３０、クラスタリングマップ作成ステップ４０は、健康度ポジショニングマップ作成装置としての機能を有し、例えば、上述したプロセッサ部１２０を備えるコンピュータシステム１００によって実装され得る。また、データ取得ステップ１０、および健康関数値算出ステップ５０は、健康関数値算出装置としての機能を有し、例えば、上述したプロセッサ部１４０を備えるコンピュータシステム１００によって実装され得る。出力ステップ７０では、データ処理ステップ２０、健康評価マップ作成ステップ３０、クラスタリングマップ作成ステップ４０、健康関数値算出ステップ５０、またはポジショニングマップ作成ステップ６０において生成されたデータを出力し、例えば、表示装置（例えば、液晶ディスプレイ）によって出力される。
【００７９】
データ取得ステップ１０で取得されたデータセットは、データ処理ステップ２０に送られる。
【００８０】
データ処理ステップ２０は、例えば、図３Ｄに示すように、補正２１、および次元削減２２を行う。データ処理ステップ２０は、例えば、上述したプロセッサ部１２０の処理手段１２２によって実装され得る。
【００８１】
補正２１は、データ取得ステップ１０で取得されたデータを補正することである。具体的には、補正２１は、例えば、データ取得ステップ１０で取得されたデータの値が所定の範囲の値（例えば、平均値が０であり、かつ、標準偏差が１）となるように、データ取得ステップ１０で取得された各データを補正する。補正されたデータは、次元削減２２に送られる。
【００８２】
次元削減２２は、データ取得ステップ１０または補正ステップ２１から渡された複数のデータの次元を削減する。具体的には、次元削減２２は、重回帰分析、多次元尺度法、主成分分析、または機械学習を用いて、データ取得ステップ１０または補正ステップ２１から渡された複数のデータ（多次元データ）の次元を任意の次元（本実施形態では、２次元）にする。次元削減されたデータは、例えば、関数の形式であってもよい。例えば、この関数は、健康に関する指標を算出するための関数である。関数は、例えば、第１データに含まれる一部またはすべてのデータを変数とする関数であり、様々な病気の因子のうち特に影響が大きいデータに対してより大きな重みづけを行うことにより作成される関数である。本実施形態における関数は、第１データに含まれる一部またはすべてのデータを線形または非線形モデルを用いて作成される。一実施形態において、２次元の関数（本実施形態では、横軸の関数Ｘ（以降では、第１関数と呼称する）、および、縦軸の関数Ｙ（以降では、第２関数と呼称する）によって構成される）が作成される。作成された関数は、健康評価マップ作成ステップ３０および出力ステップ７０に渡される。
【００８３】
本実施形態では、次元削減２２は、上述したように、多次元データを２次元まで下げることにより２次元の関数を作成する。第１関数および第２関数は、データ取得ステップ１０または補正ステップ２１から渡された複数のデータの全部または一部を変数とする関数であり、重回帰分析、多次元尺度法、主成分分析、または機械学習で算出された関数である。本発明では、「機械学習」は、深層学習を含む機械学習、または、深層学習を含まない機械学習のいずれかを意味する。第１関数と第２関数とは、構成する変数が完全に同一または完全に異なっていてもよいし、一部の変数が互いに重複していてもよい。
【００８４】
健康評価マップ作成ステップ３０は、例えば、上述したプロセッサ部１２０のマッピング手段１２３によって実装され得る。健康評価マップ作成ステップ３０では、例えば、データ処理ステップ２０によって処理されたデータを用いて、より具体的には、次元削減によって作成された関数を用いて、健康を評価するマップ（以降では、健康評価マップと呼称する）が作成される。本実施形態では、関数が２次元であるため、健康評価マップは、２次元のマップとなる。図８は、健康評価マップの一例を示す図である。図８に示すように、健康評価マップ作成ステップ３０では、複数の被験者について、第１関数および第２関数によって定められる点を、２次元空間（多次元空間）にプロットすることにより健康評価マップが作成される。
【００８５】
クラスタリングマップ作成ステップ４０は、例えば、上述したプロセッサ部１２０のクラスタリング手段１２４および特徴付け手段１２５によって実装され得る。クラスタリングマップ作成ステップ４０では、例えば、健康評価マップ作成ステップ３０で作成された健康評価マップにプロットされた複数の点をいくつかのクラスターにクラスタリングし、複数の領域を特徴付けたマップ（以降では、健康度ポジショニングマップと呼称する）が作成される。本実施形態におけるクラスタリングマップ作成ステップ４０では、非階層クラスタリング法（本実施形態では、ｋ平均法）を用いて、プロットされた複数の点を任意の数のクラスターにクラスタリングする。図８に示す例では、４つのクラスターに分類している。この４つの領域の少なくとも１つを健康に関する情報で特徴付けることによって、健康度ポジショニングマップが作成される。
【００８６】
作成された健康度ポジショニングマップは、出力ステップ７０において出力されてもよいし、健康関数値算出ステップ５０に渡されてもよいし、健康予測ポジショニングマップ作成ステップ６０に渡されてもよい。
【００８７】
健康関数値算出ステップ５０および健康予測ポジショニングマップ作成ステップ６０は、例えば、上述したプロセッサ部１３０およびプロセッサ部１４０によって実装され得る。健康関数値算出ステップ５０では、まず、健康度ポジショニングマップに基づいて、健康関数が作成される。なお、健康関数の変数の数を任意に増減させ、同定の精度を有する複数の健康関数、すなわち、健康関数群を作成してもよい。次いで、健康関数を作成するために第１データセットを取得した被験者とは異なる被験者の健康関数の値を算出する。具体的には、データ取得ステップ１０により取得された対象となる被験者のデータ（新規に取得されたデータ）に対して、作成された健康関数を適用することにより、当該被験者の健康関数の値を算出する。なお、健康関数が多次元関数であるので、健康関数値も当然ながら多次元の値である。
【００８８】
健康予測ポジショニングマップ作成ステップ６０は、健康関数値算出ステップ５０によって算出された被験者の健康関数の値を、健康評価マップ作成ステップ３０によって作成された健康評価マップまたは、クラスタリングマップ作成ステップ４０によって作成された健康度ポジショニングマップ上にプロットし、健康予測ポジショニングマップを作成する。これにより、新規にデータを測定した被験者の健康状態を予測することができる。
【００８９】
また、健康予測ポジショニングマップ作成ステップ６０は、単一の被験者について、時間間隔をおいて取得されたデータを用いて健康関数値算出ステップ５０で算出された健康関数の値を、上記健康評価マップまたは上記健康度ポジショニングマップ上にプロットし、健康予測ポジショニングマップを作成してもよい。これにより、当該被験者の健康状態の変化の程度を評価することができる。
【００９０】
また、新規の被験者から取得したデータは、健康関数をアップデート（更新）するためのデータとしても用いることができる。健康関数値算出ステップ５０では、新規の被験者から取得したデータ、または、当該データを用いて補正ステップ２１から出力されたデータをさらに用いることにより、健康関数のアップデートを行うことが可能である。これにより、より様々な健康リスクの評価を可能としたり、健康リスク評価の精度を高めたりすることができる。
【００９１】
データフロー１の各ステップ（特に、データ処理ステップ２０、健康評価マップ作成ステップ３０、クラスタリングマップ作成ステップ４０、健康関数値算出ステップ５０、および健康予測ポジショニングマップ作成ステップ６０）は、集積回路（ＩＣチップ）等に形成された論理回路（ハードウェア）によって実現してもよいし、ソフトウェアによって実現してもよい。後者の場合、健康評価装置１は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central  Processing  Unit）を用いることができる。上記記録媒体としては、「一時的でない有形の媒体」、例えば、ＲＯＭ（Read  Only  Memory）等の他、テープ、ディスク、カード、半導体メモリ、プログラマブルな論理回路などを用いることができる。また、上記プログラムを展開するＲＡＭ（Random  Access  Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９２】
上記のデータフローによれば、様々なデータを用いて健康度ポジショニングマップおよび／または健康関数を作成することができる。すなわち、既存の個別の疾患に関する健康指標ではなく、被験者の健康度を総合的に算出することができる健康度ポジショニングマップおよび／または健康関数を作成することができる。したがって、様々な健康リスクを評価することができる（すなわち、被験者の健康総体の健康度を評価できる）健康度ポジショニングマップおよび／または健康関数を作成することができる。
【００９３】
また、データ取得ステップ１０で測定した様々なデータを組み合わせることにより健康度ポジショニングマップおよび／または健康関数を柔軟に作製することができる。すなわち、データ取得ステップ１０で測定する項目の選定の融通性が非常に高い。
【００９４】
また、一実施形態では、第２データセットを入力データとする機械学習によって、健康関数を作成する。これにより、より正確に被験者の健康状態の指標を作製できる健康関数を作成することができる。
【００９５】
また、一実施形態では、第１データセットで健康度ポジショニングマップを作成する前に、性別間のデータの補正を行う。これにより、いずれの性別にも対応できる健康度ポジショニングマップを作成することができる。
【００９６】
また、本発明の一態様では、第１データが、非侵襲測定によって取得されるデータのみを含む態様であってもよい。上記の構成によれば、血液検査など被験者を傷つけることなく、データを取得することができる。
【００９７】
また、一実施形態では、データ処理ステップ２０によって作成された関数を用いて健康を評価するマップを作成することができる。具体的には、関数が多次元ベクトルである場合に、複数の被験者について関数によって定められる点を、多次元空間にプロットすることにより健康を評価するマップを作成する。これにより、被験者がどのような健康状態であるかを視覚的に確認することができる。
【００９８】
また、一実施形態１では、多次元空間にプロットされた点をクラスタリングする。そしてクラスタリングされた各クラスターに属する被験者のデータを参照することにより、それぞれのクラスターがどのような被験者の集団であるかを特定し、それらのクラスターを特徴付けることができる。その結果、新規に測定された被験者のデータを健康度ポジショニングマップマップ上にプロットすることによって、測定した被験者の健康状態を予測することができるようになる。
【００９９】
図２に示される例では、データベース部２００は、コンピュータシステム１００の外部に設けられているが、本発明はこれに限定されない。データベース部２００の少なくとも一部をコンピュータシステム１００の内部に設けることも可能である。このとき、データベース部２００の少なくとも一部は、メモリ部１５０を実装する記憶手段と同一の記憶手段によって実装されてもよいし、メモリ部１５０を実装する記憶手段とは別の記憶手段によって実装されてもよい。いずれにせよ、データベース部２００の少なくとも一部は、コンピュータシステム１００のための格納部として構成される。データベース部２００の構成は、特定のハードウェア構成に限定されない。例えば、データベース部２００は、単一のハードウェア部品で構成されてもよいし、複数のハードウェア部品で構成されてもよい。例えば、データベース部２００は、コンピュータシステム１００の外付けハードディスク装置として構成されてもよいし、ネットワーク４００を介して接続されるクラウド上のストレージとして構成されてもよい。
【０１００】
３．第１パラメータセット
本発明者らは、対象者の総合的な健康度を評価するために、健康脆弱化および慢性疲労に共通する生理学的または生化学的メカニズムに着目した。理論に拘束されることを意図しないが、これまでの疲労医学研究および健康脆弱化追跡研究に基づくと、疲労〜慢性疲労、健康脆弱化、老化、および疾患発症には共通のメカニズムが存在し得る。それは、
（１）生体酸化の進行と抗酸化能の低下を示す「生体酸化（さび付き）」、
（２）上記の生体酸化の解除が遅延することを示す「修復エネルギー低下」、
（３）酸化（さび付き）細胞が検知されていることを示す「炎症」、および
（４）上記の（１）〜（３）を感知し、調整する機能を示す「自律神経機能」
である。この（１）〜（４）のパラメータを総合的に評価することにより、疾患に至っていない健康脆弱化状態（すなわち、「未病」）を判定することが可能になる。
【０１０１】
上記の理論に基づき、代表的な実施形態においては、本発明における第１データセットを得るための第１パラメータセットは、「生体酸化パラメータ」、「修復エネルギー低下パラメータ」、「炎症パラメータ」および「自律神経機能パラメータ」を含み得る。本明細書中では以下、（１）「生体酸化パラメータ」、（２）「修復エネルギー低下パラメータ」、（３）「炎症パラメータ」、および（４）「自律神経機能パラメータ」の４つのパラメータを合わせて、基本４パラメータと称することがある。
【０１０２】
（生体酸化パラメータ）
活性酸素種（Ｒｅａｃｔｉｖｅ  Ｏｘｙｇｅｎ  Ｓｐｅｃｉｅｓ：ＲＯＳ）は、生体内においてＤＮＡ、脂質、蛋白質、酵素などの細胞を構成する多くの生体高分子を酸化変性し、細胞機能に障害を与える。活性酸素種による酸化変性は、様々な疾患や老化につながると考えられている。
【０１０３】
他方、生体内には、活性酸素種による細胞機能障害を防ぐために、スーパーオキシドジスムターゼ（ＳＯＤ）やカタラーゼなどの抗酸化酵素や、コエンザイムＱ１０、ビタミンＣ、ビタミンＥなどの抗酸化物質が存在している。
【０１０４】
したがって、本発明における「生体酸化パラメータ」の測定は、活性酸素種による酸化損傷の測定、抗酸化能の測定、または酸化損傷と抗酸化能のバランスの測定を含み得る。活性酸素種による酸化損傷の測定は、活性酸素種の量を直接測定することによって行われてもよいし、タンパク質、脂質または核酸の酸化損傷を測定することによって行われてもよい。
【０１０５】
酸化損傷の測定方法は当該分野では周知であり、当業者は適宜測定対象を選択し、測定することが可能である。本発明において、活性酸素種による酸化損傷の指標とする具体的なマーカーは、例えば、血液中の活性酸素種量を直接測定するｄ−ＲＯＭｓ（Ｄｅｒｉｖａｔｉｖｅｓ  ｏｆ  Ｒｅａｃｔｉｖｅ  Ｏｘｙｇｅｎ  Ｍｅｔａｂｏｌｉｔｅｓ）、タンパク質の酸化損傷の指標であるカルボニル化タンパク質量（ＰＣＣ；Ｐｒｏｔｅｉｎ  Ｃａｒｂｏｎｙｌ  Ｃｏｎｔｅｎｔ）、脂質の酸化損傷の指標である４−ヒドロキシノネナールやイソプラスタン、核酸の酸化損傷の指標である８−ＯＨｄＧ（８−ヒドロキシーデオキシグアノシン）などが挙げられるが、これらに限定されない。
【０１０６】
抗酸化能の測定方法は当該分野では周知であり、当業者は適宜測定対象を選択し、測定することが可能である。本発明において、抗酸化能の指標とする具体的なマーカーは、鉄への還元力を数値化したＢＡＰ（Ｂｉｏｌｏｇｉｃａｌ  Ａｎｔｉｏｘｉｄａｎｔ  Ｐｏｔｅｎｔｉａｌ）、血清チオールステータス、グルタチオン測定、ビタミンＣ量測定、コエンザイムＱ１０総量、コエンザイムＱ１０還元型比率などが挙げられるが、これらに限定されない。コエンザイムＱ１０総量やコエンザイムＱ１０還元型比率は、例えば、ＬＣ−ＭＳ／ＭＳを用いて測定することができる（具体的には、例えば、多重反応モニタリングにより検出する還元型および酸化型コエンザイムＱ１０の濃度から算出し得る。）。
【０１０７】
本発明において、酸化損傷と抗酸化能のバランスの指標となるマーカーは、ＯＳＩ（酸化ストレス指標；Ｏｘｉｄａｔｉｏｎ  Ｓｔｒｅｓｓ  Ｉｎｄｅｘ）であるが、これに限定されない。なお、本発明におけるＯＳＩは、ｄ−ＲＯＭｓ／ＢＡＰである。
【０１０８】
本発明における好ましい生体酸化パラメータは、ＢＡＰ、コエンザイムＱ１０総量、コエンザイムＱ１０還元型比率、ＯＳＩを含む。
【０１０９】
典型的には、生体酸化パラメータは、非侵襲性検査によって測定され得るパラメータである。
【０１１０】
（修復エネルギー低下パラメータ）
生体組織が酸化による損傷を受けたとしても、生体はその損傷した組織を修復する機構を備えている。生体における組織損傷には、ＡＴＰが必要である。しかしながら、ＡＴＰ産生が低下すると、損傷した組織の修復が遅延することになる。ＡＴＰ産生の低下は、疲労回復遅延にもつながる。本発明における「修復エネルギー低下パラメータ」は、ＡＴＰ産生が低下していることを示す任意のパラメータである。
【０１１１】
ＡＴＰは、解糖系、ＴＣＡ回路および電子伝達系を経て産生されるが、最後の電子伝達系において最も多くのＡＴＰが産生される。コエンザイムＱ１０は電子伝達系を担う重要な補酵素である。したがって、本発明における「修復エネルギー低下パラメータ」は、コエンザイムＱ１０総量、コエンザイムＱ１０還元型比率や、解糖系・ＴＣＡ回路の代謝物（例えば、ピルビン酸、乳酸、クエン酸、イソクエン酸、コハク酸、フマル酸，リンゴ酸など）が挙げられるが、これらに限定されない。コエンザイムＱ１０総量、およびコエンザイムＱ１０還元型比率は、抗酸化能を有するために「生体酸化パラメータ」であると同時に、ＡＴＰ産生に寄与するため「修復エネルギー低下パラメータ」でもある点に留意されたい。本発明における好ましい本発明における「修復エネルギー低下パラメータ」は、コエンザイムＱ１０総量およびコエンザイムＱ１０還元型比率を含み得る。
【０１１２】
コエンザイムＱ１０総量やコエンザイムＱ１０還元型比率の測定方法は上記のとおりである。解糖系やクエン酸回路の代謝物は、メタボローム解析から、解糖系やクエン酸回路を反映する化合物を抽出することによって測定することができる。
【０１１３】
典型的には、修復エネルギー低下パラメータは、非侵襲性検査によって測定され得るパラメータである。
【０１１４】
（炎症パラメータ）
生体において酸化により損傷を受けた組織が多く発生すると、免疫応答によって多量の局所炎症が発生する。炎症パラメータの種類および測定方法は当該分野で周知であり、当業者は適切に炎症パラメータを選択し、測定することができる。
【０１１５】
本発明における炎症パラメータは、ＣＲＰ（Ｃ−Ｒｅａｃｔｉｖｅ  Ｐｒｏｔｅｉｎ）、ＷＢＣ（白血球数）、アルブミン、赤血球数、インターロイキン−１β、インターロイキン−６などが挙げられるが、これらに限定されない。
【０１１６】
典型的には、炎症パラメータは、非侵襲性検査によって測定され得るパラメータである。
【０１１７】
（自律神経機能パラメータ）
健康脆弱化を時系列的に精査すると、まず最初に自律神経機能（特に副交感神経機能）の低下が起こり、次いで、睡眠の質が低下し、次いで疲労が蓄積し、そして意欲低下、抑うつ傾向、アレルギー等の免疫系不調、月経不全などの内分泌系異常、消化器系の異常などが観察される。したがって、自律神経機能の異常は、健康脆弱化の初期段階を把握するための重要なパラメータである。
【０１１８】
本発明においては、自律神経機能を、心拍パラメータから評価する。具体的には、本発明において使用される心拍パラメータは以下を含むが、これらに限定されない。
・平均ＨＲ
５分間の全心拍数の平均値をいう。
・自律神経系全体の活動；ＴＰ（Ｔｏｔａｌ  Ｐｏｗｅｒ＝ｍｓ２）
５分間測定における周波数０〜０．４Ｈｚ（ＶＬＦ、ＬＦ、ＨＦ）のパワースペクトルのトータルパワーの計算値。この値は交感神経活動が主に占める自律神経系の活動を総体的に反映し、疲労に関係した数値と言われている。
・交感神経機能の全体的活動；ＶＬＦ（超低周波  ｍｓ２）
約０．００３３〜０．０４Ｈｚの周波数帯のパワースペクトルである。一般的に、このパラメータは交感神経機能の非常にゆっくりとしたメカニズムの全体的活動を示すものと言われている。
・交感神経の活動；ＬＦ（低周波  ｍｓ２）
約０．００４〜０．１５Ｈｚの周波数帯のパワースペクトルであり、この値は主に（血管運動性）交感神経の活動を反映している。
・副交感神経の活動；ＨＦ（高周波  ｍｓ2）
約０．１５〜０．４Ｈｚの周波帯のパワースペクトルであり、この値は副交感神経（迷走神経）の活動を反映している。
・交感神経と副交感神経のバランス；ＬＦ／ＨＦ比
ＬＦ（低周波）とＨＦ（高周波）のパワーの比率であり、この値は、交感神経と副交感神経の全体のバランスを表している。一般的に、数値が高いと交感神経優位を、低い場合は副交感神経優位を示している。
【０１１９】
自律神経機能を現す上記心拍パラメータは、当該分野で公知の方法で測定し得るが、心電波と指尖脈波とを同時に計測し心拍変動解析を行う正確な方法論によって測定することもできる（特許第５４５５０７１号公報、特許第５４９１７４９号公報を参照のこと。これらの文献は、参照により本明細書に援用される。）。例えば、心電図と脈波が同時に計測できる簡易型自律神経系計測装置ＦＭＣＣ−ＶＳＭ３０１（株式会社疲労科学研究所、大阪、日本）を用いて、本発明の自律神経機能パラメータを測定してもよい。
【０１２０】
本発明における好ましい「自律神経機能パラメータ」は、平均ＨＲ、ＴＰ、ＬＦ、ＨＦ、ＬＦ／ＨＦなどであり得るが、これらに限定されない。なお、ＨＦおよびＬＦの値は分散が大きく、正規分布にならないため、上記パラメータのうちＨＦやＬＦが関係するＴＰ、ＬＦ、ＨＦおよびＬＦ／ＨＦについては、対数変換をして評価することが好ましい。したがって、本発明におけるより好ましい「自律神経機能パラメータ」は、本発明における好ましい「自律神経機能パラメータ」は、平均ＨＲ、ｌｎ（ＴＰ）、ｌｎ（ＬＦ）、ｌｎ（ＨＦ）、およびｌｎ（ＬＦ／ＨＦ）を含む。
【０１２１】
典型的には、自律神経機能パラメータは、非侵襲性検査によって測定され得るパラメータである。
【０１２２】
（さらなる第１パラメータセット）
本発明の第１パラメータセットは、より適切に対象者の総合的な健康度を評価するポジショニングマップを作成するために、以下のパラメータの１または複数を含み得る。
【０１２３】
・基礎的パラメータ
基礎的パラメータとしては、対象者の身体の状態や健康状態を現す公知のパラメータを含む。本発明の基礎的パラメータは、年齢、身長、体重、腹囲、体組成、骨密度、血圧、筋力などを含むが、これらに限定されない。
【０１２４】
体組成としては、筋肉量、ＢＭＩ（体重／身長＝Ｂｏｄｙ  Ｍａｓｓ  Ｉｎｄｅｘ）、脂肪率などを含むが、これらに限定されない。
【０１２５】
骨密度は、手の骨をＸ線で撮影して写真から測定するＭＤ法、超音波を使って踵の骨を測定する超音波法、ＣＴスキャンを用いたＱＣＴ法、Ｘ線およびコンピューターを使ったＤＥＸＡ法（Ｄｕａｌ  ｅｎｅｒｇｙ  Ｘ−ｒａｙ  ａｂｓｏｒｐｔｉｏｍｅｔｒｙ）などの測定方法が知られており、本発明ではそれらのいずれの測定方法で得られたパラメータも使用され得る。
【０１２６】
本発明における骨密度パラメータは、超音波伝導速度（ＳＯＳ＝Ｓｐｅｅｄ  ｏｆ  Ｓｏｕｎｄ）、骨粗鬆症評価（Ｏｓｔｅｏｐｏｒｏｓｉｓ  Ｉｎｄｅｘ；例えば、ＯＳＩＲＩＳ（Ｏｓｔｅｏｐｏｒｏｓｉｓ  Ｉｎｄｅｘ  ｏｆ  Ｒｉｓｋ））、若年成人比較％（ＹＡＭ＝Ｙｏｕｎｇ  Ａｄｕｌｔ  Ｍｅａｎ；若年齢の平均ＢＭＤ（Ｂｏｎｅ  Ｍｉｎｅｒａｌ  Ｄｅｎｓｉｔｙ）；骨密度＝骨量÷面積（単位ｇ／ｃｍ２））値（基準値）を１００％として、被験者ＢＭＤ値と比べた％）、Ｔスコア（若年齢の平均ＢＭＤ値（基準値）を０として、標準偏差を１ＳＤとして指標を規定した値）などが挙げられるが、これらに限定されない。これらの基礎的パラメータの測定方法は、当該分野で周知である。
【０１２７】
血圧は、当該分野では慣習的に測定されており、本発明の基礎的パラメータとしては収縮期血圧を使用し得る。
【０１２８】
筋力は、当該分野では慣習的に測定されており、本発明の基礎的パラメータとしては、筋肉量および握力左右平均を使用し得る。
【０１２９】
本発明の基礎的パラメータは、好ましくは、年齢、筋肉量、ＢＭＩ、脂肪率、ＳＯＳ、ＯＩ、収縮期血圧、および握力左右平均を含み得る。
【０１３０】
基礎的パラメータは、非侵襲性検査によって測定され得るパラメータである。
【０１３１】
・血液パラメータ
上記の生体酸化パラメータ以外に、対象の腎排泄・肝胆膵・解毒機能系を評価するために、一般的に使用されている血液パラメータが、さらに第１パラメータセットに含まれることが好ましい。
【０１３２】
この血液パラメータとしては、ＨｂＡ１ｃ（ヘモグロビンＡ１ｃ；ヘモグロビンにグルコースが結合した糖化タンパク質）、ＡＬＰ（アルカリホスファターゼ）、ＡＬＴ（アラニンアミノトランスフェラーゼ）、ＡＳＴ（アスパラギン酸アミノトランスフェラーゼ）、ＢＳ（血糖値）、ＢＵＮ（血中尿素窒素）、ＣＫ（クレアチンキナーゼ；運動・骨格・筋肉機能系評価に使用し得る血漿中筋肉細胞酵素）、Ｇ−ＧＴ（ガンマ・グルタミール・トランスペプチターゼ）、ＨＤＬ−Ｃ（ＨＤＬ−コレステロール）、ＨＧＢ（ヘモグロビン）、ＬＤ（乳酸脱水素酵素）、ＬＤＬ−Ｃ（ＬＤＬコレステロール）、ＴＧ（トリグリセリド；中性脂肪）、Ｔ−Ｐ（総タンパク質）、ＵＡ（尿酸）、アミラーゼ、アルブミン、カリウム、クレアチニン、クロール、コルチゾル、ナトリウム、ｅＧＦＲ、ビタミン類（例えば、ビタミンＢ１）、ミネラル（鉄、銅、カルシウムなど）量などが挙げられるが、これらに限定されない。
【０１３３】
典型的には、血液パラメータは、侵襲性検査によって測定され得るパラメータである。
【０１３４】
・認知機能パラメータ
本発明者らの研究によると、疲労が蓄積すると、認知機能が低下する。したがって、本発明の第１パラメータは、認知機能パラメータをさらに含み得る。
【０１３５】
本発明の認知機能パラメータは、１枚の紙に書かれた１から２５までの数字などの指標を順に鉛筆でなぞるという簡易な認知機能検査であるＴＭＴ（Ｔｒａｉｌ  Ｍａｋｉｎｇ  Ｔｅｓｔ）、タッチパネルにおいてＴＭＴを行うＡＴＭＴ（Ａｄｖａｎｃｅｄ  Ｔｒａｉｌ  Ｍａｋｉｎｇ  Ｔｅｓｔ）、本発明者らが開発したｍｏｄｉｆｉｅｄ  ＡＴＭＴ（Ｋ．Ｍｉｚｕｎｏ  ｅ  ａｌ．Ｂｒａｉｎ  ＆  Ｄｅｖｅｌｏｐｍｅｎｔ  ３３  （２０１１）  ４１２-４２０）などによって得ることができる。ＴＭＴ、ＡＴＭＴ、ｍｏｄｉｆｉｅｄ  ＡＴＭＴは方法論に差異はあるものの、測定する対象は共通しており、それらは全て、本発明の認知機能パラメータである。
【０１３６】
本発明者らは、ｍｏｄｉｆｉｅｄ  ＡＴＭＴとして、例えば、認知機能の種々の要素を評価するための５つの課題を用意しており、これらを単独または組み合わせて使用することができる。また、これらの各認知課題の評価は、総反応時間によって行ってもよいし、総正答数によって行ってもよい。
【０１３７】
認知機能パラメータは、非侵襲性検査によって測定され得るパラメータである。
【０１３８】
・血管および皮膚パラメータ
本発明者らの研究によると、疲労が蓄積すると、血管および皮膚に影響が出ることがある。したがって、好ましくは、本発明の第１パラメータセットは、血管および皮膚パラメータも含み得る。
【０１３９】
血管パラメータは、例えば、血管年齢、毛細血管長平均値、血管濁り、血管本数などが挙げられるがこれらに限定されない。毛細血管長平均値、血管濁り、および血管本数は、好ましくは、手指爪床の毛細血管走行を画像処理することによって簡便に測定することができる。毛細血管走行の画像処理およびこれらのパラメータの測定は、例えば、あっと株式会社（大阪、日本）製の毛細血管スコープによって測定し得る。
皮膚パラメータは、例えば、腕の肌の水分量、水分蒸散量、光沢などが挙げられるが、これらに限定されない。腕の肌の水分量、水分蒸散量、および光沢の測定方法は、当該分野では周知である。
【０１４０】
血管および皮膚パラメータは、非侵襲性検査によって測定され得るパラメータである。
【０１４１】
・主観的評価パラメータ
本発明の第１パラメータセットは、上記のような測定によって得られる客観的パラメータに加えて、対象の主観的評価パラメータも含み得る。各種測定値による客観的パラメータに加えて主観的評価をパラメータセットに加えることにより、各種成分の測定からは把握し切れない対象の身体、疲労および精神状態などの状況を健康度ポジショニングマップに反映することができる。
【０１４２】
１つの実施形態においては、本発明における主観的評価パラメータは、疲労、睡眠、精神状態などの主観的評価を含み得る。
【０１４３】
疲労の主観的評価は、疲労持続期間の主観的評価、疲労による障害に関する質問、疲労ＶＡＳ（Ｖｉｓｕａｌ  Ａｎａｌｏｇｕｅ  Ｓｃａｌｅ）、チャルダー疲労指標（Ｃｈａｌｄｅｒ  Ｆａｒｉｇｕｅ  Ｓｃａｌｅ；ＣＦＱ）、ＣＦＱのうち１１項目を用いて算出する疲労症状スコア（ＣＦＱ１１）（Ｔａｎａｋａ  Ｍ  ｅｔ  ａｌ．，Ｐｓｙｃｈｏｌ  Ｒｅｐ＿２０１０，１０６，２、５６７−５７５）、プレゼンティズムに関する質問票またはＶＡＳ、および疲労に関する質問票の１または複数を含み得る。「疲労による障害に関する質問」とは、疲労と何らかの障害との因果関係の有無について対象者の主観的評価を確認するものをいう。「疲労による障害に関する質問」とは、例えば、疲労によって仕事、家事または学業に支障があると感じているかどうか、疲労の原因と考えられる疾病の質問などであり得る。「疲労に関する質問票」とは、疲労の任意の症状について自覚があるかどうかを質問するものであり、例えば、倦怠感を感じるかどうか、一晩寝ても疲れが取れないと感じるかどうかなどであり得る。プレゼンティズムの質問票としては、例えばＷＨＯのＨｅａｌｔｈ  ａｎｄ  Ｗｏｒｋ  Ｐｅｒｆｏｒｍａｎｃｅ  Ｑｕｅｓｔｉｏｎｎａｉｒｅ（ＨＰＱ）や、Ｗｏｒｋ  Ｌｉｍｉｔａｔｉｏｎｓ  Ｑｕｅｓｔｉｏｎｎａｉｒｅ（ＷＬＱ）などを使用してもよい。
【０１４４】
睡眠の主観的評価は、睡眠（入眠および起床）の時刻、平均睡眠時間、眠気に関するＶＡＳ、および睡眠の質に関する質問票の１または複数を含み得る。
【０１４５】
精神状態の主観的評価は、うつに関するＶＡＳおよび質問票、意欲に関するＶＡＳおよび質問票のうちの１または複数を含み得る。「うつに関する質問票」とは、うつの任意の症状に関する質問をいい、ゆううつだと感じているかどうか、他者との付き合いが億劫に感じているかどうかなどを含み得、例えばＫ６合計（Ｋｅｓｓｌｅｒらによって開発された精神的な問題を現すものとして一般的に使用されている指標）が１つの例である。
【０１４６】
上記において「質問票」は、特定の質問に対する回答で評価してもよいし、多数の質問に対する回答をスコアにして評価してもよい。
【０１４７】
主観的パラメータは、非侵襲性検査によって測定され得るパラメータである。
【０１４８】
・生活状況パラメータ
本発明の第１パラメータセットは、客観的パラメータおよび主観的評価パラメータに加えて、生活状況パラメータを含んでもよい。本発明における生活状況パラメータは、対象の生活状況についての事実であり、例えば、教育年数、婚姻期間、同居の有無、喫煙状況（有無、頻度および／または量）、飲酒状況（有無、頻度および／または量）、労働時間、運動（有無、頻度および／または量）、食事状況（食べる頻度が早いと感じるかどうか、夕食後の間食頻度、朝食を取らない頻度、等）、既往歴、服薬状況、サプリメント摂取状況などを含み得る。
【０１４９】
生活状況パラメータは、非侵襲性検査によって測定され得るパラメータである。
【０１５０】
・さらなるパラメータ
本発明の第１パラメータセットは、脳機能・精神神経系評価、循環器・呼吸器機能系評価、腎排泄・肝胆膵・解毒機能系評価に関するデータに基づくパラメータを含んでもよい。
【０１５１】
例えば、脳機能・精神神経系評価に関するデータは、上述したものの他に、コミュニケーション機能、活動量（日中、睡眠中）、ＭＲＩ（Magnetic  Resonance  Imaging）による脳形態計測（脳組織の収縮した部位に応じた機能の低下を計測することができる）、安静時ｆＭＲＩ、および、神経線維束走行異方性（神経線維束のサイズや頑強さ）などのデータを含み得る。
【０１５２】
循環器・呼吸器機能系評価に関するデータは、上述したものの他に、血流量（例えば、ドップラー血流計により測定し得る）、呼気ガス成分分析（NO（ぜんそく）、アセトン（糖尿病）など）などを含み得る。呼気ガス成分分析に関するデータは、質量分析やイオン移動度分析装置で分析することによって測定することができる。
【０１５３】
腎排泄・肝胆膵・解毒機能系評価に関するデータは、上述したものの他に、皮膚ガス成分分析などのデータを含み得る。皮膚ガス成分分析に関するデータは、質量分析や高感度可変レーザー検出装置によって測定することができる。
【０１５４】
（好ましい第１パラメータセット）
１つの実施形態において、本発明の第１パラメータセットは、生体酸化パラメータ、修復エネルギー低下パラメータ、炎症パラメータ、および自律神経パラメータ（基本４パラメータ）を含み得る。この基本４パラメータを含む第１パラメータセットについてのデータに基づいて健康度ポジショニングマップを作成することにより、当該健康度ポジショニングマップによって、疾患に至っていない健康脆弱化状態（すなわち、「未病」）を判定することが可能になる。
【０１５５】
別の実施形態において、本発明の第１パラメータセットは、基本４パラメータ、基礎的パラメータ、認知機能パラメータ、および主観的パラメータを含み得る。理論に束縛されることを意図しないが、基本４パラメータに加えて、基礎的パラメータ、認知機能パラメータおよび主観的パラメータを追加することによって、疲労や精神状態について広範に評価することができると考えられる。好ましくは、主観的パラメータは、疲労、睡眠、および精神状態の１または複数についての評価を含み、より好ましくは、疲労についての評価を少なくとも含む。
【０１５６】
さらに別の実施形態において、本発明の第１パラメータセットは、基本４パラメータ、基礎的パラメータ、認知機能パラメータ、主観的パラメータ、および血液パラメータを含み得る。理論に束縛されることを意図しないが、基本４パラメータと、疲労や精神状態を評価するための基礎的パラメータ、認知機能パラメータ、主観的パラメータとに加えてさらに、内分泌系の機能を正確に評価できる血液パラメータを第１パラメータセットに追加することによって、さらに異なる観点を含む広範な健康度の評価が可能になる。
【０１５７】
さらに別の好ましい実施形態において、本発明の第１パラメータセットは、基本４パラメータ、基礎的パラメータ、認知機能パラメータ、主観的パラメータ、血液パラメータ、血管および皮膚パラメータ、および生活状況パラメータを含み得る。
【０１５８】
本発明の第１パラメータセットは、典型的には、侵襲的パラメータと非侵襲的パラメータとの双方を含む。これによって、後述する第２パラメータセットを非侵襲的パラメータのみで構成する場合にも、評価のベースとなるポジショニングマップには侵襲的パラメータの情報が反映されていることになる。その結果、非侵襲的パラメータのみの検査によって、侵襲性検査によってしか得られないパラメータの影響も含んだ評価を行うことができる。これは、本願発明の１つの顕著な効果である。
【０１５９】
４．第２パラメータセット
１つの実施形態において、第２パラメータセットは、以下を含むものであり得る。
（１）年齢
（２）脂肪率
（３）中性脂肪（ＴＧ）
（４）ＣＲＰ
（５）ＯＳＩ
（６）疲労についての主観的評価
（７）自律神経バランス（例えば、ＬＦ／ＨＦや、その対数）
（８）認知機能
【０１６０】
本発明の好ましい実施形態において、第２パラメータセットは、非侵襲的パラメータのみから構成され得る。しかしながら、この第２パラメータセットを評価するためのポジショニングマップは侵襲的パラメータも含んで作成されたものであり得るため、非侵襲的パラメータのみから構成される第２パラメータセットを用いて対象の総合的な健康を評価することによって、侵襲的パラメータの影響をも本質的に含んだ評価を行うことができる。これは本発明の顕著な効果の１つである。また、このような侵襲検査結果を含まないパラメータセットからユーザの健康度を推定することは、ユーザが、検査の場所を問わずに、手軽に自身の健康度を知ることを可能にする。ユーザは、例えば、病院以外にも、会社、薬局、公民館、カフェ、自宅等で簡易な検査から自身の健康度を知ることができるようになる。
【０１６１】
非侵襲的パラメータのみから構成される第２パラメータセットは、以下を含み得る。
（１）年齢
（２）ＢＭＩ
（３）脂肪率
（４）ＳＯＳ
（５）収縮期血圧
（６）疲労についての主観的評価
（７）うつについての主観的評価
（８）副交感神経の活動（例えば、ＨＦや、その対数）
（９）自律神経系全体の活動（例えば、ＴＰや、その対数）
（１０）認知機能
【０１６２】
５．コンピュータシステムによる処理
図５Ａは、コンピュータシステム１００における処理の一例を示す。処理５００は、健康度ポジショニングマップを作成する処理である。処理５００は、コンピュータシステム１００のプロセッサ部１２０において実行される。
【０１６３】
ステップＳ５０１では、プロセッサ部１２０の取得手段１２１が、複数の被験者の各々について、第１パラメータセットに対する第１データセットを取得する。取得手段１２１は、例えば、データベース部２００に格納された複数の被験者についてのデータを、インターフェース部１１０を介して受信し、受信されたデータを取得することができる。取得手段１２１は、例えば、データベース部２００に格納された複数の被験者についてのデータを、検査施設（例えば、病院、研究所等）のコンピュータシステムからインターフェース部１１０を介して受信し、受信されたデータを取得することができる。
【０１６４】
ステップＳ５０２では、プロセッサ部１２０の処理手段１２２が、ステップＳ５０１で取得された第１データセットを処理して、第１データを得る。処理手段１２２による処理は、例えば、第１データセットに対する次元削減処理、標準化処理、および重み付け処理のうちの少なくとも１つを含み得る。
【０１６５】
好ましくは、処理手段１２２による処理は、第１データセットに対する次元削減処理を含む。これにより、多次元で複雑な第１データセットの次元を削減し、より理解しやすいデータ、ひいては健康度ポジショニングマップを作成することができるからである。このとき、次元削減処理は、第１データセットを２次元のデータまたは３次元のデータに削減することが好ましい。２次元のデータまたは３次元のデータから作成された健康度ポジショニングマップは、２次元空間または３次元空間のマップとなり、視覚的に理解しやすいからである。次元削減処理により、（１）健康度ポジショニングマップの各軸の値への各測定項目の寄与を求めることができ、さらには（２）健康度ポジショニングマップの各軸の値には大きく関わらない測定項目のデータを除いて、健康度ポジショニングマップ上のデータをより明確に理解できるようになる。
【０１６６】
より好ましくは、処理手段１２２による処理は、第１データセットに対する標準化処理と、標準化されたデータセットに対する次元削減処理とを含む。これにより、第１データセットのパラメータ間のスケール差がなくなり、第１データセットの各パラメータの健康度ポジショニングマップに対する影響が均等に考慮されることになり、精度が高くかつ理解しやすい健康度ポジショニングマップを作成することができるからである。特に、例えば、男女の性差に起因するパラメータに対して標準化処理を行うことで、男性被験者から得られたデータおよび女性被験者から得られたデータの両方を同じ健康度ポジショニングマップ上で評価できるようになる。
【０１６７】
さらに好ましくは、処理手段１２２による処理は、第１データセットに対する重み付け処理と、重みが付けられたデータセットに対する標準化処理と、標準化されたデータセットに対する次元削減処理とを含む。これにより、第１データセットの各パラメータの健康度ポジショニングマップに対する影響の大小を強調し、精度がさらに高くかつ理解しやすい健康度ポジショニングマップを作成することができるからである。
【０１６８】
処理手段１２２による標準化処理は、例えば、第１パラメータセットのうちのすべてのパラメータについて行われるようにしてもよいし、特定のパラメータについて行われるようにしてもよい。処理手段１２２による重み付け処理は、例えば、複数の被験者の全体の第１データセットについて行われるようにしてもよいし、複数の被験者の特定の母集団の第１データセットについて行われるようにしてもよい。
【０１６９】
ステップＳ５０３では、プロセッサ部１２０のマッピング手段１２３が、複数の被験者の各々について、ステップＳ５０２で得られた第１データをマッピングする。マッピング手段１２３は、ｎ次元の第１データをｎ次元空間上にマッピングする。マッピング手段１２３は、複数の被験者の各々について第１データをマッピングすることにより、複数の被験者の各々の第１データがマッピングされたマップを出力することができる。例えば、第１データが２次元である場合には、マッピング手段１２３は、第１データを、２次元空間、すなわち、平面上の位置にマッピングすることにより、２次元マップを出力することができる。
【０１７０】
ステップＳ５０４では、プロセッサ部１２０のクラスタリング手段１２４が、ステップＳ５０３でマッピングされた第１データをクラスタリングすることにより、複数の領域を特定する。クラスタリング手段１２４は、マッピングされた第１データを任意の個数のクラスターに区分することにより、任意の個数の領域を特定することができる。
【０１７１】
ステップＳ５０５では、プロセッサ部１２０の特徴付け手段１２５が、ステップＳ５０４で特定された複数の領域のうちの少なくとも一部を特徴付ける。特徴付け手段１２５は、例えば、コンピュータシステム１００に入力された情報に基づいて、複数の領域のうちの少なくとも一部を特徴付けるようにしてもよいし、入力に依らずに、複数の領域のうちの少なくとも一部を自動的に特徴付けるようにしてもよい。例えば、特徴付け手段１２５は、健康度ポジショニングマップにおける相対位置に基づいて、複数の領域のうちの少なくとも一部を特徴付けてもよいし、機械学習に基づいて、複数の領域のうちの少なくとも一部を特徴付けてもよい。
【０１７２】
上述した処理５００によって、複数の領域のうちの少なくとも一部が特徴付けられた健康度ポジショニングマップが作成される。作成された健康度ポジショニングマップは、後述する処理５１０、処理６００、処理７００において利用され得る。
【０１７３】
図５Ｂは、コンピュータシステム１００における処理の別の一例を示す。処理５１０は、処理５００で作成された健康度ポジショニングマップのうちの一部の領域に含まれるデータについて健康度ポジショニングマップを作成する処理である。処理５１０は、コンピュータシステム１００のプロセッサ部１２０において実行される。
【０１７４】
ステップＳ５１１では、プロセッサ部１２０が、処理５００で作成された健康度ポジショニングマップの複数の領域のうちの一部を選択する入力を受信する。複数の領域のうちの一部を選択する入力は、例えば、コンピュータシステム１００の外部からインターフェース部１１０を介して入力される。
【０１７５】
ステップＳ５１２では、プロセッサ部１２０の取得手段１２１が、選択された領域にマッピングされた第１データを取得する。取得された第１データは、サブ第１データと呼ばれ得る。
【０１７６】
ステップＳ５１３では、プロセッサ部１２０のクラスタリング手段１２４が、ステップＳ５１２で取得されたサブ第１データをクラスタリングすることにより、複数の領域を特定する。ステップＳ５１３における処理は、ステップＳ５０４における処理と同様の処理であり得る。
【０１７７】
ステップＳ５１４では、プロセッサ部１２０の特徴付け手段１２５が、ステップＳ５１３で特定された複数の領域のうちの少なくとも一部を特徴付ける。ステップＳ５１４における処理は、ステップＳ５０５における処理と同様の処理であり得る。
【０１７８】
上述した処理５１０によって、複数の被験者のうちの一部の被験者についての健康度ポジショニングマップが作成される。複数の被験者のうちの一部の被験者についての健康度ポジショニングマップは、例えば、複数の被験者のうちの特定の集団、例えば、男性被験者集団、女性被験者集団、若年層集団（４０歳未満の集団）、中年層集団（４０歳以上６０歳未満の集団）、老年層集団（６０歳以上の集団）等にフォーカスした健康度ポジショニングマップであり得る。特定の集団にフォーカスした健康度ポジショニングマップの複数の領域は、複数の被験者の全体の健康度ポジショニングマップの複数の領域とは異なる特徴付けを有することができ、異なる観点での健康状態の分析を行うために利用されることができる。
【０１７９】
図６は、コンピュータシステム１００における処理の別の一例を示す。処理６００は、健康関数を作成する処理である。処理６００は、コンピュータシステム１００のプロセッサ部１３０において実行される。
【０１８０】
ステップＳ６０１では、プロセッサ部１３０が、健康度ポジショニングマップを用意する。例えば、プロセッサ部１３０は、プロセッサ部１３０の第１取得手段によって健康度ポジショニングマップを取得することによって、健康度ポジショニングマップを用意することができる。健康度ポジショニングマップは、複数の被験者についての上述した第１パラメータセットに対する第１データセットに基づいて作成されている。用意される健康度ポジショニングマップは、第１パラメータセットを用いて作成されている限り、処理５００または処理５１０によって作成された健康度ポジショニングマップであってもよいし、別様に作成された健康度ポジショニングマップであってもよい。
【０１８１】
ステップＳ６０２では、プロセッサ部１３０の第２取得手段１３２が、複数の被験者のうちの少なくとも一部について、第２パラメータセットに対する第２データセットを取得する。第２パラメータセットは、第１パラメータセットの一部である。第２取得手段１３２は、例えば、データベース部２００に格納された複数の被験者の一部についてのデータを、インターフェース部１１０を介して取得することができる。
【０１８２】
ステップＳ６０３では、プロセッサ部１３０の導出手段１３３が、ステップＳ６０２で取得された複数の被験者のうちの少なくとも一部の被験者の第２データセットと、複数の被験者のうちの少なくとも一部の被験者の健康度ポジショニングマップ上の位置とを相関させる健康関数を導出する。導出手段１３３は、例えば、機械学習によって健康関数を導出することができる。健康関数は、例えば、ｎ次元の健康度ポジショニングマップの軸毎に導出され得る。
【０１８３】
健康関数は、例えば、回帰モデルであってもよいし、ニューラルネットワークモデルであってもよい。健康関数が回帰モデルである場合、導出手段１３３は、複数の被験者のうちの少なくとも一部の各被験者について、第２データセットを独立変数とし、その被験者の健康度ポジショニングマップ上の座標を従属変数として機械学習することにより、回帰モデルの各係数を導出することができる。健康関数がニューラルネットワークモデルである場合、導出手段１３３は、複数の被験者のうちの少なくとも一部の各被験者について、第２データセットを入力用教師データとし、その被験者の健康度ポジショニングマップ上の位置を出力用教師データとして機械学習することにより、各ノードの重み係数を導出することができる。
【０１８４】
上述した処理６００によって、健康度ポジショニングマップ上に被験者の健康度をマッピングするための健康関数が作成される。作成された健康関数は、後述する処理７００において利用され得る。健康関数を作成する際に、第２パラメータセットに侵襲検査結果を含めないようにすることで、結果として得られる健康関数は、侵襲検査結果を含まないパラメータセットのデータから健康度ポジショニングマップ上の位置を特定し、ユーザの健康度を推定することができるようになる。このような侵襲検査結果を含まないパラメータセットからユーザの健康度を推定することは、ユーザが、検査の場所を問わずに、自身の健康度を知ることを可能にする。ユーザは、例えば、病院以外にも、会社、薬局、公民館、カフェ、自宅等で簡易な検査から自身の健康度を知ることができるようになる。
【０１８５】
図７Ａは、コンピュータシステム１００における処理の別の一例を示す。処理７００は、ユーザの健康度を推定する処理である。処理７００は、コンピュータシステム１００のプロセッサ部１４０において実行される。
【０１８６】
ステップＳ７０１では、プロセッサ部１４０が、健康関数を用意する。例えば、プロセッサ部１４０は、プロセッサ部１４０の第３取得手段１４１によって健康関数を取得することによって、健康関数を用意することができる。健康関数は、第２パラメータセットに対するデータセットと、健康度ポジショニングマップ上の位置とを相関させる関数である。取得される健康関数は、ユーザデータセットと健康度ポジショニングマップ上の位置とを相関させることができるである限り、処理６００によって作成された健康関数であってもよいし、別様に作成された健康関数であってもよい。健康度ポジショニングマップは、第１パラメータセットを用いて作成されているである限り、処理５００または処理５１０によって作成された健康度ポジショニングマップであってもよいし、別様に作成された健康度ポジショニングマップであってもよい。
【０１８７】
ステップＳ７０２では、プロセッサ部１４０の第４取得手段１４２が、ユーザの第２パラメータセットに対する第１ユーザデータセットを取得する。第４取得手段１４２は、例えば、データベース部２００に格納された第１ユーザデータセットを、インターフェース部１１０を介して取得することができる。あるいは、第４取得手段１４２は、例えば、第１ユーザデータセットを、ユーザの端末装置からインターフェース部１１０を介して取得することができる。
【０１８８】
ステップＳ７０３では、プロセッサ部１４０の出力生成手段１４３が、第１ユーザデータセットを健康関数に入力することにより、第１出力を得る。例えば、健康関数が回帰モデルである場合、第１ユーザデータセットを回帰モデルの独立変数に入力することにより、健康度ポジショニングマップ上の座標が第１出力として出力される。例えば、健康関数がニューラルネットワークモデルである場合、第１ユーザデータセットをニューラルネットワークモデルの入力層に入力することにより、健康度ポジショニングマップ上の座標が第１出力として出力される。
【０１８９】
ステップＳ７０４では、プロセッサ部１４０の出力マッピング手段１４４が、第１出力を健康度ポジショニングマップ上にマッピングする。ステップＳ７０３で得られた出力が健康度ポジショニングマップ上の座標であるため、出力マッピング手段１４４は、健康度ポジショニングマップのｎ次元空間内にその座標をマッピングすることができる。
【０１９０】
上述した処理７００によって、ユーザの健康度を健康度ポジショニングマップ上にマッピングすることにより、ユーザの健康度がマッピングされた領域の特徴付けから、ユーザの健康状態がどのようであるかを推定することができる。例えば、第２パラメータセットに侵襲検査結果を含まない健康関数を用いることで、侵襲検査結果を含まないパラメータセットのデータから健康度ポジショニングマップ上の位置を特定し、ユーザの健康度を推定することができる。このような侵襲検査結果を含まないパラメータセットからユーザの健康度を推定することは、ユーザが、検査の場所を問わずに、自身の健康度を知ることを可能にする。ユーザは、例えば、病院以外にも、会社、薬局、公民館、カフェ、自宅等で簡易な検査から自身の健康度を知ることができるようになる。
【０１９１】
図７Ｂは、図７Ａに示される処理７００の続きの処理の一例を示す。図７Ｂに示される処理は、所定期間経過後のユーザの健康度を推定するための処理である。
【０１９２】
ステップＳ７０５では、プロセッサ部１４０の第４取得手段１４２が、ユーザの第２パラメータセットに対する第２ユーザデータセットを取得する。ステップＳ７０５は、少なくとも、ステップＳ７０２から所定期間経過した後に行われる。第４取得手段１４２は、例えば、データベース部２００に格納された第２ユーザデータセットを、インターフェース部１１０を介して取得することができる。あるいは、第４取得手段１４２は、例えば、第２ユーザデータセットを、ユーザの端末装置からインターフェース部１１０を介して取得することができる。
【０１９３】
ステップＳ７０６では、プロセッサ部１４０の出力生成手段１４３が、第２ユーザデータセットを健康関数に入力することにより、第２出力を得る。例えば、健康関数が回帰モデルである場合、第２ユーザデータセットを回帰モデルの独立変数に入力することにより、健康度ポジショニングマップ上の座標が第２出力として出力される。例えば、健康関数がニューラルネットワークモデルである場合、第２ユーザデータセットをニューラルネットワークモデルの入力層に入力することにより、健康度ポジショニングマップ上の座標が第２出力として出力される。
【０１９４】
ステップＳ７０７では、プロセッサ部１４０の出力マッピング手段１４４が、第２出力を健康度ポジショニングマップ上にマッピングする。ステップＳ７０６で得られた出力が健康度ポジショニングマップ上の座標であるため、出力マッピング手段１４４は、健康度ポジショニングマップのｎ次元空間内にその座標をマッピングすることができる。
【０１９５】
ステップＳ７０５〜Ｓ７０７によって、所定期間後のユーザの健康状態がどのようであるかを推定することができる。例えば、ステップＳ７０１〜ステップＳ７０４で推定された健康状態と、ステップＳ７０５〜ステップＳ７０７によって推定された健康状態とを比較することにより、健康状態の時系列変化を特定することができる。
【０１９６】
さらには、健康度ポジショニングマップ上での時系列変化の方向に基づいて、将来の健康状態を予測することも可能である。例えば、第１出力をマッピングした結果、健康度が健康度ポジショニングマップ上の健康体として特徴付けられた領域に属し、所定期間経過後の第２出力をマッピングした結果、健康度が、健康体として特徴付けられた領域に属するものの、生活習慣病リスク群として特徴付けられた領域に近づいていた場合には、健康状態が生活習慣病リスクの方向へ向かっていることを予測することができる。
【０１９７】
一実施形態において、処理７００は、健康状態を向上させるためのアイテムを評価するために利用され得る。例えば、所定期間の間、ユーザに健康状態を向上させるためのアイテムを使用させ、所定期間前の第１出力と、所定期間経過後の第２出力とを比較することにより、健康度ポジショニングマップ上での時系列変化を特定することができる。健康状態を向上させるためのアイテムの使用による健康度ポジショニングマップ上での時系列変化は、健康状態を向上させるためのアイテムの効果が反映されており、健康状態を向上させるためのアイテムを使用しなかった場合の健康度ポジショニングマップ上での時系列変化と対照することにより、健康状態を向上させるためのアイテムの効果の優劣を評価することができる。
【０１９８】
さらには、健康状態を向上させるためのアイテムの使用による健康度ポジショニングマップ上での時系列変化の方向に基づいて、ユーザに、健康状態を向上させるためのアイテムをリコメンドすることもできる。例えば、健康状態を向上させるためのアイテムは、概して、健康状態を向上させるためのアイテムの使用による健康度ポジショニングマップ上での時系列変化の方向とは逆方向の健康度ポジショニングマップ上での時系列変化を有するユーザに効果的である。従って、ステップＳ７０１〜ステップＳ７０７の処理によって特定されたユーザの健康度ポジショニングマップ上での時系列変化とは反対方向の時系列変化を有するアイテムをユーザにリコメンドすることができる。
【０１９９】
図５Ａ、図５Ｂ、図６、図７Ａ、図７Ｂを参照して上述した例では、特定の順序で処理が行われることを説明したが、各処理の順序は説明されたものに限定されず、論理的に可能な任意の順序で行われ得る。
【０２００】
図５Ａ、図５Ｂ、図６、図７Ａ、図７Ｂを参照して上述した例では、図５Ａ、図５Ｂ、図６、図７Ａ、図７Ｂに示される各ステップの処理は、プロセッサ部１２０、プロセッサ部１３０、またはプロセッサ部１４０とメモリ部１５０に格納されたプログラムとによって実現することが説明されたが、本発明はこれに限定されない。図５Ａ、図５Ｂ、図６、図７Ａ、図７Ｂに示される各ステップの処理のうちの少なくとも１つは、制御回路などのハードウェア構成によって実現されてもよい。
【０２０１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【０２０２】
（実施例１．健康度ポジショニングマップの作成）
本実施例では、まず、７２０名の被験者について、健康に関する２３２項目の初期データを取得した。この初期データの取得は、神戸理研ＩＩＢ棟において実施された。この２３２項目は、侵襲性検査および非侵襲性検査の両方を含んだ。次に、平均値が０であり、かつ、標準偏差が１となるように、取得した初期データの値を補正した。次に、補正したデータのうち、データ間の相関度が所定の値（具体的には、相関係数が０．９）よりも高いデータが存在する場合に当該データの１つのみを抽出する方法用いて一部のデータを抽出した。この一部のデータは、基本４パラメータについてのデータを含んでいた。なお、本実施例では、相関係数が０．９よりも高いデータが存在する場合に１つのデータを抽出していたが、本発明はこれに限定されるものではなく、相関係数の値は適宜変更することができる。なお、相関係数が０．９以上とすることにより、より総合的に被験者の健康度を算出することができる健康関数を作成することができる。
【０２０３】
抽出の結果、８１項目が抽出された。この８１項目が、本発明における「第１パラメータセット」に該当する。この８１項目は、基本４パラメータ、基礎的パラメータ、認知機能パラメータ、主観的パラメータ、血液パラメータ、血管および皮膚パラメータ、および生活状況パラメータを含んでいた。
【０２０４】
次に、多次元尺度法により、多次元データ（すなわち、８１次元のデータ）を２次元まで下げ、２次元上に、７２０名のうちデータが完全にそろっていた６９２名分のデータをプロットした。２次元上にプロットされた６９２個のプロットのプロット分布パターンについて、ｋ平均法によるクラスタリングを行い、１０個のクラスターにクラスタリングした（図９）。各クラスターに、健康に関する情報を特徴づけ、本発明の健康度ポジショニングマップを作成した。図１０は、本実施例において作成した健康度ポジショニングマップを示す図である。なお、図１０は実際のプロットも表示しているが、本発明の健康度ポジショニングマップは、その基となったプロットを含んでいる必要はなく、プロットのクラスタリングによって特定される領域と、その領域に関連付けられる健康に関する情報とを含んでいればよい点に留意されたい。
【０２０５】
（実施例２．健康関数の作成）
第１パラメータセットよりも少ない数の検査項目（第２パラメータセット）によって、実施例１において作成した健康度ポジショニングマップに適切な配置ができるような関数（健康関数）を、機械学習によって特定した。
【０２０６】
上記のとおり図１０は、本実施例における健康度ポジショニングマップである。各プロットに対応する被験者を分析したところ、図１０に示すように、図１０の図において左側（すなわち、−Ｘ軸側）のプロットは、相対的に年齢が若い被験者のプロットであり、右側（すなわち、＋Ｘ軸側）のプロットは、相対的に年齢が高い被験者のプロットであった。図１０のグループＧ１に含まれる被験者群は、年齢が若く、うつや不安の程度が高く、自律神経調整力が低く、また、認知課題においてエラー数が高い被験者群であった。したがって、新規にデータを測定された被験者がグループＧ１に属する場合、当該被験者は、メンタルヘルス疾患の未病である可能性が高い被験者であることがわかる。
【０２０７】
また、グループＧ２に含まれる被験者群は、年齢が高く、血中γ−ＧＴＰ・血中ＡＬＴ・血中中性脂肪・血中ＨｂＡ１ｃ・血中高感度ＣＲＰ値が高い被験者群であった。したがって、新規にデータを測定された被験者がグループＧ２に属する場合、当該被験者は、生活習慣病の未病である可能性が高い被験者であることがわかる。
【０２０８】
また、グループＧ３に含まれる被験者群は、年齢が高く、血糖値が高い被験者群であった。したがって、新規にデータを測定された被験者がグループＧ３に属する場合、当該被験者は、糖尿病の未病である可能性が高い被験者であることがわかる。
第１関数Ｘ≦約４かつ第２関数Ｙ≦約２の領域は概ね健康状態に問題がない健康群を示している。
【０２０９】
以上のグループＧ１〜Ｇ３は、本発明の健康評価装置によって評価できる数例であって、その他にもさまざまな健康リスクを評価することができる。
【０２１０】
（実施例３．第２パラメータセットの検討）
さらに別の第２パラメータセットによって、健康度ポジショニングマップに適切な配置ができるような関数を、機械学習によって特定することを試みた。
【０２１１】
実施例１にさらに被験者の数を加え、９６５名の被験者のデータから、７６項目の第１パラメータセットを用いて健康度ポジショニングマップを作成した。実施例２と同様に、半数の被験者のデータを教師データに、残りの半数の被験者のデータを得られた関数の評価用に用いた。
【０２１２】
その結果、５０項目の第２パラメータセットによる健康関数（Ｘ軸のＲ２＝０．９５９５；Ｙ軸のＲ２＝０．９６１５）、２１項目による第２パラメータセットによる健康関数（Ｘ軸のＲ２＝０．９６０１；Ｙ軸のＲ２＝０．８７０６）、９項目による第２パラメータセットによる健康関数（Ｘ軸のＲ２＝０．８８８９；Ｙ軸のＲ２＝０．８２０７）を特定した（図１１）。特に、９項目という少ない数のパラメータで健康状態を評価することができるのは、予想外であった。
【０２１３】
この９項目は、年齢、疲労質問票スコア、疲労持続期間、ｌｎ（ＬＦ＋ＨＦ）、認知機能、脂肪率、血中中性脂肪、ＯＳＩおよびＣＲＰであった。
【０２１４】
また、非侵襲性検査によるデータのみで健康を評価できれば、検査の場所を問わずに、手軽に自身の健康度を知ることが可能になる。そこで、非侵襲的パラメータのみから構成される第２パラメータセットの特定を試みた。その結果、以下の１４項目のパラメータが特定され、これらのパラメータセットによる健康関数を特定した（図１２）（Ｘ軸のＲ２＝０．８８７９；Ｙ軸のＲ２＝０．８８０１）。
・年齢
・ＢＭＩ
・脂肪率
・ＳＯＳ
・収縮期血圧
・うつに関する主観的評価
・プレゼンティズム
・疲労に関する主観的評価
・副交感神経の活動（ｌｎ（ＨＦ））
・自律神経系全体の活動（ｌｎ（ＴＰ））
・認知課題
【０２１５】
したがって、本発明の健康度ポジショニングマップと上記非侵襲１４パラメータとを用いることによって、手軽に自身の健康度を知ることが可能である。
（実施例４．健康度ポジショニングマップを用いた健康状態の変化の観察）
【０２１６】
実施例１で作成した健康度ポジショニングマップを用いて、被験者の健康状態の変化を観察できるかどうか検討した。還元型ＣｏＱ１０を摂取する前と、３か月間摂取した後で、健康度ポジショニングマップ上でのマッピング位置を比較した。結果を図１３に示す。
【０２１７】
図１３から明らかなように、比較を行った被験者において、メンタルヘルスリスク群であるグループＧ１から健康群へ変化している様子が観察できた。この被験者の各検査項目を精査したところ、血中ＣｏＱ１０総量は増加し、疲労やうつに関するパラメータ疲労ＶＡＳ、うつＶＡＳ、ＣｈａＴＦ１１Ｇ、ＰＳが減少していることが分かった（図１４）。この結果から、還元型ＣｏＱ１０が疲労解消やメンタルヘルス状態の改善に効果があり得ることが示唆されるとともに、本発明の健康度ポジショニングマップおよびそれを用いた健康評価方法によって、被験者の健康状態を追跡することができることが確認された。
【符号の説明】
【０２１８】
１００  コンピュータシステム
１１０  インターフェース部
１２０、１３０、１４０  プロセッサ部
１５０  メモリ部
２００  データベース部
３００  ユーザ端末装置
４００  ネットワーク
【図１Ａ】
0006864947.tif 000002
【図１Ｂ】
0006864947.tif 000003
【図２】
0006864947.tif 000004
【図３Ａ】
0006864947.tif 000005
【図３Ｂ】
0006864947.tif 000006
【図３Ｃ】
0006864947.tif 000007
【図３Ｄ】
0006864947.tif 000008
【図４】
0006864947.tif 000009
【図５Ａ】
0006864947.tif 000010
【図５Ｂ】
0006864947.tif 000011
【図６】
0006864947.tif 000012
【図７Ａ】
0006864947.tif 000013
【図７Ｂ】
0006864947.tif 000014
【図８】
0006864947.tif 000015
【図９】
0006864947.tif 000016
【図１０】
0006864947.tif 000017
【図１１】
0006864947.tif 000018
【図１２】
0006864947.tif 000019
【図１３】
0006864947.tif 000020
【図１４】
0006864947.tif 000021